(57)【要約】【課題】橋梁の下に降りることなく、橋梁構造物に足場を設置可能とする。【解決手段】橋桁１の幅方向の一方の側面である第一側面６と第二側面７との間に、ホイスト側第一ワイヤＨＷ１を、橋桁１の底面を通して架ける工程と、吊足場１００を、第二側面７側の上方からクレーンＣＮで、第一足場吊設位置ＦＰ１側が第二足場吊設位置ＦＰ２側よりも下となる姿勢で吊り下げる工程と、吊足場１００を、第二側面７側の上方から、下方側に降下させつつ、第一足場吊設位置ＦＰ１と第二足場吊設位置ＦＰ２との高低差が小さくなるように、吊足場１００を回転させて、吊足場１００を橋桁１の下方に位置するように移動させる工程と、第一ホイストＨＴ１及び第二ホイストＨＴ２で、ホイスト側第一ワイヤＨＷ１及びホイスト側第二ワイヤＨＷ２を巻き上げて、吊足場１００を橋梁構造物の底面に固定する工程とを含む。【選択図】図１７
2019127750.tif 000002
【特許請求の範囲】
【請求項１】
橋台又は橋脚上に橋桁を配置した橋梁構造物であって、橋台又は橋脚の上面を作業者が移動することを橋脚に阻まれてなる橋梁構造物に、吊足場を架設する吊足場の架設方法であって、
架設の対象となる橋梁構造物の、橋桁の幅方向の一方の側面である第一側面と、前記第一側面の反対側の側面である第二側面との間に、ホイスト側第一ワイヤを、橋桁の底面を通して架ける工程と、
前記橋桁の第一側面に第一ホイストを、第二側面に第二ホイストを、それぞれ固定した状態であって、かつ前記吊足場の、
該吊足場が橋桁の底面に固定された状態で前記第一ホイストと対向することになる第一足場吊設位置に、前記ホイスト側第一ワイヤの一端を、
該吊足場が橋桁の底面に固定された状態で前記第二ホイストと対向することになる第二足場吊設位置に、ホイスト側第二ワイヤの一端を、それぞれ固定すると共に、
前記ホイスト側第二ワイヤの他端を、前記第二ホイストに固定した状態で、
前記吊足場を、前記第二側面側の上方からクレーンで、前記第一足場吊設位置側が前記第二足場吊設位置側よりも下となる姿勢で吊り下げる工程と、
前記第一ホイストで、前記ホイスト側第一ワイヤの巻き取り量と、
前記第二ホイストで、前記ホイスト側第二ワイヤの巻き取り量と、
前記クレーンの吊り下げ高さを、それぞれ調整しながら、前記吊足場を、前記第二側面側の上方から、下方側に降下させつつ、前記第一足場吊設位置と第二足場吊設位置との高低差が小さくなるように、前記吊足場を回転させて、前記吊足場を前記橋桁の下方に位置するように移動させる工程と、
前記第一ホイスト及び第二ホイストで、前記ホイスト側第一ワイヤ及びホイスト側第二ワイヤを巻き上げて、前記吊足場を橋梁構造物の底面に固定する工程と、
を含む吊足場の架設方法
【請求項２】
請求項１に記載の吊足場の架設方法であって、
前記第一側面と第二側面の間に前記ホイスト側第一ワイヤを架ける工程が、
前記ホイスト側第一ワイヤの他端を、前記第一側面又は第二側面の一方に固定し、
前記ホイスト側第一ワイヤの一端を、前記第一側面又は第二側面の他方に向かって投げる工程を含む吊足場の架設方法。
【請求項３】
請求項２に記載の吊足場の架設方法であって、
前記第一側面と第二側面の間に前記ホイスト側第一ワイヤを架ける工程が、作業者が橋台又は橋脚の上に下りて行う作業である吊足場の架設方法。
【請求項４】
請求項２又は３に記載の吊足場の架設方法であって、
前記第一側面と第二側面の間に前記ホイスト側第一ワイヤを架ける工程が、
前記第一側面側及び第二側面側に、それぞれ作業者を配置して、前記ホイスト側第一ワイヤを受ける側の作業者が、細長く延長された棒の先端側を、前記ホイスト側第一ワイヤを送る側の作業者に向けて伸ばす工程と、
前記ホイスト側第一ワイヤを送る側の作業者が、前記棒の先端側を受けて、該棒に前記ホイスト側第一ワイヤを接続する工程と、
前記ホイスト側第一ワイヤを受ける側の作業者が、前記棒を引き寄せて、該棒の先端側に接続された前記ホイスト側第一ワイヤを受ける工程と
を含む吊足場の架設方法。
【請求項５】
請求項４に記載の吊足場の架設方法であって、
前記ホイスト側第一ワイヤを送る側の作業者が、前記棒の先端側に前記ホイスト側第一ワイヤを接続する工程が、
前記ホイスト側第一ワイヤに接続された、該ホイスト側第一ワイヤよりも軽量のリードワイヤを、前記棒の先端側に設けられたワイヤ接続部に接続する工程を含み、
前記ホイスト側第一ワイヤを受ける側の作業者が、前記棒を引き寄せて、該棒の先端側に接続された前記ホイスト側第一ワイヤを受ける工程が、
前記棒の先端側に接続されたリードワイヤを、前記棒を用いて引き寄せる工程と、
前記リードワイヤを引っ張り、該リードワイヤに接続された前記ホイスト側第一ワイヤを引き寄せる工程と、
を含む吊足場の架設方法。
【請求項６】
請求項４又は５に記載の吊足場の架設方法であって、
前記棒として、伸縮式で、先端にフックを設けた棒を用いてなる吊足場の架設方法。
【請求項７】
請求項１〜６のいずれか一項に記載の吊足場の架設方法であって、
前記第一側面と第二側面の間に前記ホイスト側第一ワイヤを架ける工程が、前記第一側面に第一ホイストを、前記第二側面に第二ホイストを、それぞれ固定する工程を含む吊足場の架設方法。
【請求項８】
請求項１〜７のいずれか一項に記載の吊足場の架設方法であって、
前記吊足場を前記橋桁の下方に位置するように移動させる工程が、
前記吊足場の、
前記第一足場吊設位置に、足場側第一ワイヤを取り付け、かつ
前記第二足場吊設位置に、足場側第二ワイヤを取り付け、
前記吊足場を、前記第二側面側の上方からクレーンで吊り下げた状態で、
前記足場側第一ワイヤを、前記ホイスト側第一ワイヤと接続し、かつ
前記足場側第二ワイヤを、前記ホイスト側第二ワイヤと接続する工程を含む吊足場の架設方法。
【請求項９】
請求項１〜８のいずれか一項に記載の吊足場の架設方法であって、
前記クレーンで吊足場を吊り下げる位置が、前記第一足場吊設位置である吊足場の架設方法。
【請求項１０】
請求項１〜９のいずれか一項に記載の吊足場の架設方法であって、
前記ホイスト側第一ワイヤが、前記橋桁の下端隅部と接触する位置に、前記ホイスト側第一ワイヤと前記橋桁下端隅部との間に緩衝材を介在させてなる吊足場の架設方法。
【請求項１１】
請求項１〜１０のいずれか一項に記載の吊足場の架設方法であって、
前記第一足場吊設位置及び前記第二足場吊設位置が、前記吊足場の、矩形状の足場部の上面に設けられた柵部上である吊足場の架設方法。
【発明の詳細な説明】
【技術分野】
【０００１】
本発明は橋梁構造物の検査や清掃等の保守作業用の吊足場の架設方法及び吊足場に関する。
【背景技術】
【０００２】
橋梁やトンネルといった構造物は、設営後に適切に維持、修繕する必要がある。すなわち経年劣化による事故を未然に回避するため、道路管理者が構造物を定期的に点検することが求められる。特に平成２４年１２月２日に発生した中央自動車道笹子トンネル天井板落下事故が発生したこと等を背景に、国土交通省は平成２６年７月１日より、トンネルや２ｍ以上の道路橋などを、５年に１回の頻度で点検することを義務付けている。その点検方法は、従来の遠望目視でなく、近接目視が基本とされている。
【０００３】
このような橋梁構造物の内、鋼製の橋梁については、橋を支える支承部の劣化が問題となっている。一般に橋梁は、主桁や主構等の上部構造と、橋台や橋脚等の下部構造との間に、支承部を介在させ、温度変化の影響による主桁等の伸縮の吸収や耐震性の向上を図っている。支承部は、その設置された環境や機能により、橋梁において最も損傷し易い部材の一つとされている。支承部の一例を、図１９の縦断面図に示す。この支承部５Ｘは、橋台２Ｘと主桁１Ｘの間に配置されており、主桁１Ｘからの活荷重や死荷重を常時受けて移動や回転を繰り返す。この支承部５Ｘは主桁１Ｘの裏側に配置されるため、直射日光が当たり難く影になる狭隘な閉鎖空間であって、風通しも悪い。一方で主桁１Ｘの隙間や側面から土砂や雨水が流れ落ちて、土砂などの堆積物ＳＤが堆積し易い。さらに雨水の滞水も生じ易く、湿潤な状態となる結果、支承部５Ｘの発錆や腐食が発生し易い環境となる。
【０００４】
したがって、支承部の堆積土砂を除去する除土作業等の清掃や洗浄といった維持管理は、橋梁のメンテナンスにおいて極めて重要である。堆積土砂を除去し支承部を洗浄することで、橋梁の大幅な長寿命化を図ることができると考えられる。このような土砂の除去作業にも、足場を組むことが必要となる。
【０００５】
しかしながら、近接目視や橋梁のメンテナンス等の作業（以下、これらをまとめて「検査作業」ということがある。）を主桁の裏側で行うには、図２０に示すように、橋梁構造物ＢＲの裏面側に作業者が入れるような足場１００Ｙを組む必要があり、極めて時間とコストがかかるという問題がある。全国で２ｍ以上の橋は約７０万橋存在するといわれており、そのうち市町村に管理されているものは約４８万橋存在しているとされ、道路管理者である地方公共団体、とりわけ町村には、点検のコストは大きな負担となることが懸念される。
【０００６】
以上のように、従来の検査方法は交通規制が必要であったり、工数が多く人的コストが高くなる等の問題があり、簡便かつ安価な検査方法は確立されていなかった。特に検査対象となる橋梁構造物の多い地域ではコストの高騰が懸念され、予算の捻出が社会的な問題となり、簡便で安価な検査方法が要求されている。
【０００７】
これに対して、本願出願人は、図２１に示すようなフロート付き吊足場２１１を橋梁構造物に架設する方法を開発した（特許文献１）。この架設方法は、吊足場部の下側にフロート部２１２を固定したフロート付き吊足場２１１を準備する工程と、フロート付き吊足場２１１を架設の対象となる橋梁構築物ＢＲ２の下方まで、水上に浮かべて移動させる工程と、橋梁構造物ＢＲ２の両側の側面の第一橋梁側面位置にフロート付き吊足場２１１を第一ワイヤ２１６で接続する工程と、第一ワイヤ２１６を引き上げて、フロート付き吊足場２１１を橋梁構造物ＢＲ２に吊す工程とを含む。これによって、河川や海の上にフロート付き足場を浮かべて引き上げることにより、橋梁に吊足場を容易に架設することが可能となる。
【０００８】
しかしながら、この方法は橋梁構造物の下方に河川や海などの水面が存在することが前提となり、水面のない環境では利用できない問題があった。特に中山間地のような場所に架設された橋梁は、谷が深い渓流地にある場合等、橋梁の下方は険しい谷になっていたり、橋梁が高い位置に架設されていることがある。このような場所では、たとえ陸上であっても高所作業車を橋梁の下部に移動させることが困難であり、吊足場の設置が必要となるものの、除土清掃のため局部的な足場を設けることが割高となることがあった。また足場の架設等の作業のために作業者が橋梁の下に下りるのが手間がかかる上、危険なことがあり、作業者の安全性の確保が容易でないという問題があった。
【先行技術文献】
【特許文献】
【０００９】
【特許文献１】特許第６０１８６９１号公報
【発明の概要】
【発明が解決しようとする課題】
【００１０】
本発明は、このような背景に鑑みてなされたものである。本発明の目的の一は、橋梁の下に降りることなく、橋梁構造物に足場を設置可能とした吊足場の架設方法と、その架設に用いる吊足場を提供することにある。
【課題を解決するための手段及び発明の効果】
【００１１】
上記課題を解決するために、本発明の第１の橋梁構造物における吊足場の架設方法によれば、橋梁構造物に、矩形状の足場部の上面に柵部を有する吊足場を架設する吊足場の架設方法であって、架設の対象となる橋梁構造物の、橋桁の幅方向の一方の側面である第一側面と、前記第一側面の反対側の側面である第二側面との間に、ホイスト側第一ワイヤを、橋桁の底面を通して架ける工程と、前記橋桁の第一側面に第一ホイストを、第二側面に第二ホイストを、それぞれ固定した状態であって、かつ前記吊足場の、該吊足場が橋桁の底面に固定された状態で前記第一ホイストと対向することになる第一足場吊設位置に、前記ホイスト側第一ワイヤの一端を、該吊足場が橋桁の底面に固定された状態で前記第二ホイストと対向することになる第二足場吊設位置に、ホイスト側第二ワイヤの一端を、それぞれ固定すると共に、前記ホイスト側第二ワイヤの他端を、前記第二ホイストに固定した状態で、前記吊足場を、前記第二側面側の上方からクレーンで、前記第一足場吊設位置側が前記第二足場吊設位置側よりも下となる姿勢で吊り下げる工程と、前記第一ホイストで、前記ホイスト側第一ワイヤの巻き取り量と、前記第二ホイストで、前記ホイスト側第二ワイヤの巻き取り量と、前記クレーンの吊り下げ高さを、それぞれ調整しながら、前記吊足場を、前記第二側面側の上方から、下方側に降下させつつ、前記第一足場吊設位置と第二足場吊設位置との高低差が小さくなるように、前記吊足場を回転させて、前記吊足場を前記橋桁の下方に位置するように移動させる工程と、前記第一ホイスト及び第二ホイストで、前記ホイスト側第一ワイヤ及びホイスト側第二ワイヤを巻き上げて、前記吊足場を橋梁構造物の底面に固定する工程とを含むことができる。これにより吊足場を橋梁構造物の側面から潜らせるように降下、回転させて、橋梁構造物の底面に吊足場を移動させることが可能となる。しかもこの方法であれば、作業者が橋梁構造物を設営した下に下りる必要もなく、安全に作業できる。
【００１２】
また、本発明の第２の橋梁構造物における吊足場の架設方法によれば、上記何れかに加えて、前記第一側面と第二側面の間に前記ホイスト側第一ワイヤを架ける工程が、前記ホイスト側第一ワイヤの他端を、前記第一側面又は第二側面の一方に固定し、前記ホイスト側第一ワイヤの一端を、前記第一側面又は第二側面の他方に向かって投げる工程を含むことができる。
【００１３】
さらに、本発明の第３の橋梁構造物における吊足場の架設方法によれば、上記何れかに加えて、前記第一側面と第二側面の間に前記ホイスト側第一ワイヤを架ける工程を、作業者が橋台又は橋脚の上に下りて行うことができる。これにより、作業者は橋台や橋脚の上に下りるだけで足り、橋台等の下まで下りることなく吊足場の架設作業を行えるため、作業性や安全性の確保の点で極めて有益となる。
【００１４】
さらにまた、本発明の第４の橋梁構造物における吊足場の架設方法によれば、上記何れかに加えて、前記第一側面と第二側面の間に前記ホイスト側第一ワイヤを架ける工程が、前記第一側面側及び第二側面側に、それぞれ作業者を配置して、前記ホイスト側第一ワイヤを受ける側の作業者が、細長く延長された棒の先端側を、前記ホイスト側第一ワイヤを送る側の作業者に向けて伸ばす工程と、前記ホイスト側第一ワイヤを送る側の作業者が、前記棒の先端側を受けて、該棒に前記ホイスト側第一ワイヤを接続する工程と、前記ホイスト側第一ワイヤを受ける側の作業者が、前記棒を引き寄せて、該棒の先端側に接続された前記ホイスト側第一ワイヤを受ける工程とを含むことができる。これにより、橋桁に阻まれて作業者が自由に移動できない橋台や橋脚の上面でホイスト側第一ワイヤを左右に渡す作業を、細長い棒を用いて安全に受け渡すことが可能となる。
【００１５】
さらにまた、本発明の第５の橋梁構造物における吊足場の架設方法によれば、上記何れかに加えて、前記ホイスト側第一ワイヤを送る側の作業者が、前記棒の先端側に前記ホイスト側第一ワイヤを接続する工程が、前記ホイスト側第一ワイヤに接続された、該ホイスト側第一ワイヤよりも軽量のリードワイヤを、前記棒の先端側に設けられたワイヤ接続部に接続する工程を含み、前記ホイスト側第一ワイヤを受ける側の作業者が、前記棒を引き寄せて、該棒の先端側に接続された前記ホイスト側第一ワイヤを受ける工程が、前記棒の先端側に接続されたリードワイヤを、前記棒を用いて引き寄せる工程と、前記リードワイヤを引っ張り、該リードワイヤに接続された前記ホイスト側第一ワイヤを引き寄せる工程とを含むことができる。これにより、重量のあるホイスト側第一ワイヤを直接棒の先端側に接続するのでなく、一旦軽量なリードワイヤを棒の先端側に接続した後、このリードワイヤを棒で引き寄せることにより、軽い力でも物理的に送り側から受け側にリードワイヤの受け渡し作業を行うことができる。さらにリードワイヤを受け側で取得した後は、力を要する作業も手元のリードワイヤに対して行い易くなるので、リードワイヤを引っ張って、より重いホイスト側第一ワイヤを引き寄せることが可能となる。このように、重いホイスト側第一ワイヤを直接やりとりするのでなく、より軽いリードワイヤの授受を先に行った上で行うことで、作業をよりスムーズにかつ安全に行える利点が得られる。
【００１６】
さらにまた、本発明の第６の橋梁構造物における吊足場の架設方法によれば、上記何れかに加えて、前記棒として、伸縮式で、先端にフックを設けた棒を用いることができる。これにより、簡単な機構を用いながら安全にリードワイヤやホイスト側第一ワイヤの受け渡しが可能となる。
【００１７】
さらにまた、本発明の第７の橋梁構造物における吊足場の架設方法によれば、上記何れかに加えて、前記第一側面と第二側面の間に前記ホイスト側第一ワイヤを架ける工程が、前記第一側面に第一ホイストを、前記第二側面に第二ホイストを、それぞれ固定する工程を含むことができる。これにより、ホイスト側第一ワイヤを予め第一ホイスト又は第二ホイストに繋いだままで第一側面と第二側面の間にホイスト側第一ワイヤを架けて、後の作業を簡素化できる利点が得られる。
【００１８】
さらにまた、本発明の第８の橋梁構造物における吊足場の架設方法によれば、上記何れかに加えて、記吊足場を前記橋桁の下方に位置するように移動させる工程が、前記吊足場の、前記第一足場吊設位置に、足場側第一ワイヤを取り付け、かつ前記第二足場吊設位置に、足場側第二ワイヤを取り付け、前記吊足場を、前記第二側面側の上方からクレーンで吊り下げた状態で、前記足場側第一ワイヤを、前記ホイスト側第一ワイヤと接続し、かつ前記足場側第二ワイヤを、前記ホイスト側第二ワイヤと接続する工程を含むことができる。
【００１９】
さらにまた、本発明の第９の橋梁構造物における吊足場の架設方法によれば、上記何れかに加えて、前記クレーンで吊足場を吊り下げる位置を、前記第一足場吊設位置とすることができる。これにより、クレーンの吊り下げ位置とワイヤの固定位置とを共通化して、ワイヤの固定作業の簡略化を図ることができる。
【００２０】
さらにまた、本発明の第１０の橋梁構造物における吊足場の架設方法によれば、上記何れかに加えて、前記ホイスト側第一ワイヤが、前記橋桁の下端隅部と接触する位置に、前記ホイスト側第一ワイヤと前記橋桁下端隅部との間に緩衝材を介在させることができる。これにより、ホイスト側第一ワイヤを巻き取る際に橋桁の下端隅部と擦れて摩耗する事態を回避することができる。
【００２１】
さらにまた、本発明の第１１の橋梁構造物における吊足場の架設方法によれば、上記何れかに加えて、前記第一足場吊設位置及び前記第二足場吊設位置を、前記吊足場の、矩形状の足場部の上面に設けられた柵部上とすることができる。これにより、吊足場の柵部をワイヤの固定位置として兼用することができる。
【図面の簡単な説明】
【００２２】
【図１】吊足場を橋桁の下面に固定した様子を示す模式横断面図である。
【図２】図１の橋桁の下面に固定された吊足場を示す模式側面である。
【図３】吊足場を示す斜視図である。
【図４】第二作業者が棒を第一側面側に送り出す様子を示す模式断面図である。
【図５】伸縮式の棒を示す模式平面図である。
【図６】第二作業者が棒を第一側面側に送り出す様子を示す模式平面図である。
【図７】第二作業者が、棒を引き寄せる状態を示す模式断面図である。
【図８】第二作業者が、リードワイヤを引っ張ってホイスト側第一ワイヤを引き寄せる状態を示す模式断面図である。
【図９】第二作業者が固定式の棒を第一作業者に送り出す様子を示す模式断面図である。
【図１０】図４の状態から、ホイスト側第一ワイヤを第一側面と第二側面の間に橋桁の底面を通して架けた状態を示す模式断面図である。
【図１１】橋台に梯子を設置した状態を示す斜視図である。
【図１２】吊足場に足場側第一ワイヤ、足場側第二ワイヤを取り付ける作業を行う様子を示す模式側面図である。
【図１３】図１０の状態から、吊足場を懸吊する様子を示す模式断面図である。
【図１４】図１３の状態から、吊足場の足場側第一ワイヤと足場側第二ワイヤを、第一ホイストのホイスト側第一ワイヤ、第二ホイストのホイスト側第二ワイヤと、それぞれ連結する様子を示す模式断面図である。
【図１５】図１４の状態から、第一ホイスト、第二ホイストとワイヤで接続した吊足場を橋桁の側面に吊り下げる様子を示す模式断面図である。
【図１６】図１４の状態から、第一ホイスト、第二ホイストとワイヤで接続した吊足場を橋桁の側面に吊り下げる様子を示す模式断面図である。
【図１７】図１５の状態から、吊足場をさらに回転させる様子を示す模式断面図である。
【図１８】図１７の状態から、吊足場を橋桁の下方に移動させる様子を示す模式断面図である。
【図１９】橋梁の支承部が経年劣化する様子を示す模式縦断面図である。
【図２０】従来の吊足場による橋梁構造物の検査方法を示す図である。
【図２１】本出願が先に開発した足場の架設方法を示す正面図である。
【発明を実施するための形態】
【００２３】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部品を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００２４】
本発明の実施形態１に係る吊足場の架設方法を用いて、橋桁の下面に固定された吊足場を、図１及び図２に示す。これらの図に示す吊足場１００は、橋梁構造物の裏側を検査するために用いられるものである。すなわち、橋梁構造物の裏側を作業者が目視で検査したり、除土作業や洗浄作業といった清掃作業を行えるように、吊足場１００を橋梁構造物の下方に、簡易な方法で架設可能としたものである。
（吊足場１００）
【００２５】
吊足場１００は、クレーンなどで吊り下げやすいよう、軽量で、かつ作業者が載って作業できる十分な強度を有するものとする。吊足場１００の一例を図３の斜視図に示す。この図に示す吊足場１００は、足場部１１と、柵部１４を備え、足場部１１の周囲を柵部１４で覆っている。
（足場部１１）
【００２６】
足場部１１は、その上に作業員が乗って作業をするための部材である。足場部１１は、平面視を矩形状とする足板状の部材や、メッシュ状の部材を用いることができる。また足場部１１は、軽量な材質、例えばアルミニウム材が好ましいが、強度が十分であれば材質は特定しない。例えばスチール製としたり、あるいはＦＲＰなどの樹脂製としてもよい。
【００２７】
図３に示す例では、足場部１１の表面に穴部１２が複数形成されている。この穴部１２の周囲を表面に突出させることで、作業員が足を滑らせる事態を抑制できる。
（柵部１４）
【００２８】
また吊足場１００は足場部１１の上面の四方を覆うように柵部１４を備える。柵部１４は作業員の転落防止のための柵である。柵部１４は、パイプ状又は角柱状の部材を組み合わせて構成される。また、ワイヤを固定するための部材としても利用できる。柵部１４の上端面及び長手方向の両端面を開放することで、橋梁構造物に架設した際、作業員は上部から体を出して橋桁の裏側の検査をすることができる。
【００２９】
また吊足場は、複数を連結式とすることもできる。複数の吊足場を長手方向に連結することで、異なる幅の橋梁構造物や橋桁に対応させることができる。この場合は、吊足場の両端面を開放して、複数の吊足場を連結する界面において障害をなくし、作業者が足場部上を渡って他の吊足場へ移動することができる。
【００３０】
この例では柵部１４も軽量なアルミニウムを用いている。柵部１４も軽量な部材が好ましいが、強度が十分であればよく、材質は特に特定しない。
（吊足場の架設方法）
【００３１】
橋梁構造物の裏面側の点検や整備、清掃等の作業のために、作業者の足場を設ける際、従来は橋梁構造物の下方からクレーン等を使って吊足場を引き上げて設置することが行われてきた。しかしながら、この方法ではクレーンなどの重機が必要で作業が大掛かりとなる上、橋台や橋脚の下方に作業者が下りる必要があった。また必ずしも橋梁構造物の下方に作業者が安全に下りて作業できるとは限らず、同様に橋梁構造物の下方に重機を配置できるとも限らず、山奥などでは重機の搬入自体が困難であったり、搬入作業に人手も手間も費用もかかってしまうという問題があった。これに対して本実施形態に係る吊足場の架設方法では、吊足場を少ない人数でも橋梁構造物の裏面側に架設可能としたものである。
【００３２】
以下、吊足場を橋梁構造物に架設する方法を、図４〜図１８に基づいて説明する。ここでは、橋台２の上方で、橋桁の裏側に吊足場１００を固定する方法について説明する。また吊足場１００として、軽量でクレーンＣＮなどで吊り下げやすい軽量吊足場を用いている。なお、以下では橋台２の上方に吊足場を架設する例を説明するが、本発明はこれに限らず、橋脚３の上方に吊足場を仮設する方法にも同様に適用できることはいうまでもない。
（第一工程：ホイスト側第一ワイヤを橋桁の底面側に張る工程）
【００３３】
まず、図４に示すように、架設の対象となる橋梁構造物の、橋桁１の幅方向の一方の側面である第一側面６（図において右側）と、第一側面６の反対側の側面である第二側面７（図において左側）との間に、ホイスト側第一ワイヤＨＷ１を、橋桁１の底面を通して架ける。
【００３４】
ここでは予め、第一側面６に第一ホイストＨＴ１を、第二側面７に第二ホイストＨＴ２を、それぞれ固定しておく。例えば、第一ホイストＨＴ１や第二ホイストＨＴ２を、橋脚の上部の欄干４等に固定できる。第一ホイストＨＴ１及び第二ホイストＨＴ２は、電動式などによりホイスト側第一ワイヤＨＷ１、ホイスト側第二ワイヤＨＷ２をそれぞれ巻き上げ可能としている。また、ホイスト側第一ワイヤＨＷ１は、第一ホイストＨＴ１に固定しておき、ホイスト側第一ワイヤＨＷ１の先端を、第二ホイストＨＴ２から引き出す。すなわちホイスト側第一ワイヤＨＷ１は、先端を自由端とし、他端を第二ホイストＨＴ２に固定している。ホイスト側第一ワイヤＨＷ１は、吊足場１００の吊り下げに耐える十分な強度を有するワイヤやハーネス、チェーン等が利用できる。
【００３５】
またホイスト側第一ワイヤＨＷ１の先端には、ある程度の重量を有する金属製のフック等を予め固定しておく。さらにホイスト側第一ワイヤＨＷ１の長さは、第一ホイストＨＴ１から、橋桁１の右側の側面、底面、及び左側の側面を経由して第二ホイストＨＴ２に至る十分な長さに引き出しておく。
【００３６】
さらに、作業者を橋台２の上面に配置する。ここでは、２名の作業者を用いて、第一作業者ＯＰ１を橋台２上面の内、第一側面６側に、また第二作業者ＯＰ２を、橋台２の上面の内、第二側面７側に、それぞれ配置する。一般に橋台２の上面には、図４に示すように支承部５を介して橋桁１が載置されているため、橋桁１が妨げとなって作業者が橋台２の上面を自由に移動することができない。そこで、橋台２の上面であって、橋桁１の両側側面に生じる空間に、第一作業者ＯＰ１、第二作業者ＯＰ２をそれぞれ配置する。
【００３７】
そして、第二ホイストＨＴ２から引き出されたホイスト側第一ワイヤＨＷ１を、反対側に位置する第二作業者ＯＰ２側に移動させる。ここでは、第二作業者ＯＰ２が、棒ＲＲを使って第一作業者ＯＰ１からホイスト側第一ワイヤＨＷ１を受け取る。まず、第二作業者ＯＰ２は図４に示すように、細長く延長された棒ＲＲの先端側を、第一作業者ＯＰ１に向かって伸ばしていく。一方、第二作業者ＯＰ２は、棒ＲＲの先端側を受けて、この棒ＲＲにホイスト側第一ワイヤＨＷ１を接続する。その後、第一作業者ＯＰ１は、棒ＲＲを再度引き寄せて、この棒ＲＲの先端側に接続されたホイスト側第一ワイヤＨＷ１を受ける。これにより、橋桁に阻まれて作業者が自由に移動できない橋台や橋脚の上面でホイスト側第一ワイヤＨＷ１を受け渡す作業を安全に行うことができる。
（棒ＲＲ）
【００３８】
ここで棒ＲＲは、図５に示すように伸縮式とすることが好ましい。棒ＲＲの先端側には、ワイヤを接続するためのワイヤ接続部ＷＦを設けている。これにより、簡単な構成でワイヤを接続して、ワイヤをたぐり寄せることが可能となる。一方で棒ＲＲは、作業者が扱い易いよう、軽量であることが望ましい。
【００３９】
伸縮式の棒ＲＲには、ロッド式に伸縮可能な棒材が利用できる。例えば釣り竿のような、軽量で可撓性に優れた材質が好適に利用できる。伸縮可能な長さは、橋桁の幅に応じて設定され、数ｍ程度に延長できるものが好ましい。例えば５０ｃｍ〜５ｍ程度に長さを可変自在とする。また棒ＲＲの伸縮動作は、手動式としても電動式としてもよい。このような伸縮式の棒ＲＲを用いたことで、橋台の上面で徐々に伸ばしながら送り出すように使用できる。また非使用時には収縮して嵩張らず、携行性にも優れる。
（ワイヤ接続部ＷＦ）
【００４０】
ワイヤ接続部ＷＦは、ワイヤを接続可能な構成が適宜利用できる。例えば、鉤爪状やＬ字状に折曲させて、ワイヤを係止可能としたフックや、一部を開閉可能とした環状のリングや環等を、ワイヤ接続部ＷＦとして利用できる。またワイヤ接続部ＷＦは、棒ＲＲの先端縁に固定することが好ましいが、必ずしも先端でなくとも、例えば先端から少し話した位置に固定してもよい。
（領域ＲＮ）
【００４１】
第一作業者ＯＰ１は、棒ＲＲを第二作業者ＯＰ２側に渡すための領域として、橋台２の上面であって、支承部５の側面側を利用できる。図６の平面図に示すように、一般に支承部５は、橋台２の上面の端縁に配置されるのでなく、端縁から距離ｄ離して配置されることが多い。そこで、この空間、すなわち橋台２の上面の内で、支承部５を配置した部分と橋台２の端縁との間の領域ＲＮを、棒ＲＲを置く領域として利用する。第二作業者ＯＰ２は、図４の断面図に示すように、橋桁１と橋台２の隙間であって、かつ図６の平面図に示すように、支承部５と橋台２の端縁との間の領域ＲＮに、棒ＲＲを通して、先端を第一作業者ＯＰ１に向かって送り出す。例えば第二作業者ＯＰ２が、棒ＲＲを手元で徐々に伸ばしながら、第一作業者ＯＰ１のいる第一側面６側に棒ＲＲを繰り出していく。
【００４２】
特に、第二作業者ＯＰ２は、橋桁１に遮られて第一側面６側を見通すことことができず、視界が悪い中で第一作業者ＯＰ１に棒ＲＲを送り出さねばならない。そこで、支承部５と橋台２の端縁との間の領域ＲＮを利用して、この上に棒ＲＲを置いて送り出すようにしたことで、第二作業者ＯＰ２の作業の負荷を軽減して、簡単に行えるようにできる。また棒ＲＲの先端を受け取る第一作業者ＯＰ１にとっても、姿を視認し難い第二作業者ＯＰ２から送り出される棒ＲＲの先端が届けられる部位を予め把握することができる。このようにして、狭い作業空間においても、互いに安全かつ確実に作業を行うことができる。
【００４３】
第二作業者ＯＰ２から送り出された棒ＲＲの先端を、第一作業者が受け取ると、第一作業者はこの棒ＲＲにホイスト側第一ワイヤＨＷ１を接続する。ここで、直接ホイスト側第一ワイヤを接続することもできるが、好ましくは、ホイスト側第一ワイヤＨＷ１よりも軽量のリードワイヤＬＷを介在させる。すなわちリードワイヤＬＷの一端をホイスト側第一ワイヤＨＷ１に接続して、リードワイヤＬＷの他端を、棒ＲＲの先端に取り付ける。そして第二作業者ＯＰ２が、図７に示すように棒ＲＲを手元に引き寄せて、橋桁１の下面にリードワイヤＬＷを通した上で、第二側面７側でリードワイヤＬＷを引き出し、棒ＲＲの先端からリードワイヤＬＷを外して、このリードワイヤＬＷの他端側を受け取る。ここでリードワイヤＬＷの長さは、橋桁１の横幅よりも長い長さとする。すなわち、橋桁１の下面にリードワイヤＬＷを通した状態では、未だホイスト側第一ワイヤＨＷ１が引かれていない状態とする。これによって、第二作業者ＯＰ２が棒ＲＲを引き寄せる際は、ホイスト側第一ワイヤＨＷ１の重量が印加されず、軽いリードワイヤＬＷと棒ＲＲの重さのみに抑えることができ、作業性に優れる。
【００４４】
またリードワイヤＬＷは、予めホイスト側第一ワイヤＨＷ１の先端に接続しておくことが好ましい。例えばホイスト側第一ワイヤＨＷ１を第一ホイストＨＴ１から垂らす前に、橋桁１の上面である橋面側でリードワイヤＬＷの接続作業を行っておく。これであれば、広い安全な場所で作業できるので、作業の効率化が図られる。
【００４５】
このようにして、橋桁１の下面にリードワイヤＬＷを通した状態で、第二作業者ＯＰ２がリードワイヤＬＷを手で引いて、リードワイヤＬＷの一端側に接続されたホイスト側第一ワイヤＨＷ１を第二側面７側に引き寄せる。この際、ホイスト側第一ワイヤＨＷ１は、リードワイヤＬＷと同様、支承部５と橋台２の端縁との間の領域ＲＮに載せた状態で引っ張ってもよいが、必ずしも橋台の上面に載せた状態に維持する必要はなく、図８に示すように、橋台２の側面側に出した状態で、引っ張ってもよい。既に第二作業者ＯＰ２がリードワイヤＬＷを棒ＲＲから外して直接把持しているため、力を入れ易い姿勢でリードワイヤＬＷを引っ張ることが可能となり、ホイスト側第一ワイヤＨＷ１を橋台２等に載せて支える必要は、必ずしもない。
【００４６】
この方法であれば、重量のあるホイスト側第一ワイヤを直接棒の先端側に取り付けて棒を引っ張るよりも、軽い力で第二作業者ＯＰ２はリードワイヤＬＷを引き寄せることができる。そして棒ＲＲの先端からリードワイヤＬＷをたぐり寄せた後、リードワイヤＬＷを直接引っ張ってホイスト側第一ワイヤＨＷ１を手元に引き寄せることができる。また、重量のあるホイスト側第一ワイヤを引くのに、動きが制約される棒でなく、自由度の高いリードワイヤを持って作業できるので、第二作業者は力を入れやすくなり、また動き易くなるので、作業性は格段に向上される。このように、重いホイスト側第一ワイヤを直接やりとりするのでなく、より軽いリードワイヤの授受を先に行った上で行うことで、作業をよりスムーズにかつ安全に行える利点が得られる。すなわち軽量なリードワイヤを介することで、棒ＲＲで引き寄せる際には軽い力でも物理的に送り側から受け側にリードワイヤの受け渡し作業を行うことができ、さらにリードワイヤを受け側で取得した後は、力を要する作業を手元のリードワイヤに対して行い易くできる。この結果、安全性の向上と作業性の効率化が図られ、より短時間で作業を進められるようにしたことで、人件費などの削減にも寄与し得る。
【００４７】
以上の例では、第二作業者ＯＰ２が棒ＲＲを使ってホイスト側第一ワイヤＨＷ１をたぐり寄せる方法を説明したが、本発明はこれに限らず、例えば第一作業者側が棒を使って、ホイスト側第一ワイヤを第二作業者に送ってもよい。例えば第一作業者が棒の先端側にリードワイヤを連結し、この棒の先端側を第二作業者側に向けて送り出す。第二作業者は、棒の先端を受けて、リードワイヤを棒の先端から外し、同様にリードワイヤを引っ張ってホイスト側第一ワイヤを受けることができる。
【００４８】
さらに、以上の例では伸縮式の棒ＲＲを使用したが、必ずしも伸縮式であることを要せず、長さが固定の棒材を用いてもよい。この場合は、第二作業者が棒を橋台の上面に置いて、徐々に送り出すか、あるいは図９に示すように第二作業者ＯＰ２が棒ＦＲを橋桁の側面側で、棒ＦＲの先端を橋台の側面から、あるいは橋台の下方から、第一作業者に向かって振り回すようにして送る。第一作業者は手で棒ＦＲの先端側を受け取ると、後は同様にしてリードワイヤＬＷを棒ＦＲの先端側に連結して第二作業者ＯＰ２側に送り出すことができる。棒ＦＲは支えがなくとも十分に振り回せるよう、軽量であることが望ましい。この方法であれば、棒を伸縮式とせずとも、ワイヤの受け渡しに利用できる。ただし、棒の非使用時には嵩張るため、例えば橋面に棒を置く等の工程が必要となる。
【００４９】
あるいはまた、棒の先端側にリードワイヤを接続する作業を、第一作業者に行わせる他、第二作業者が行うようにしてもよい。例えば図９に示すように、第一側面６側でリードワイヤＬＷを鉛直下方に垂らした状態とし、第二作業者ＯＰ２が第二側面７側からでも、リードワイヤＬＷの位置を視認できるようにする。この状態で、第二作業者ＯＰ２が棒ＦＲの先端を操作して、棒ＦＲの先端のワイヤ接続部であるフックをリードワイヤＬＷに引っ掛ける。そして引っ掛けた後は、棒ＦＲを操作してリードワイヤＬＷを手元にたぐり寄せる。リードワイヤＬＷを第二作業者ＯＰ２側で受けた後は、同様にしてリードワイヤＬＷを引っ張り、ホイスト側第一ワイヤＨＷ１を引き寄せることが可能となる。この方法であれば、第一作業者ＯＰ１を不要にできる。
【００５０】
あるいはまた、棒等の器具を用いることなく、直接第一作業者ＯＰ１から反対側に位置する第二作業者ＯＰ２側に向かってホイスト側第一ワイヤＨＷ１を受け渡すこともできる。例えば、第一作業者ＯＰ１が第二ホイストＨＴ２から引き出されたホイスト側第一ワイヤＨＷ１を手で操作して、反対側に位置する第二作業者ＯＰ２側に向かって投げる。ここでは、ターザンロープの要領で、ホイスト側第一ワイヤＨＷ１の先端を振り子状に揺らす。例えばホイスト側第一ワイヤＨＷ１の先端を、第一ホイストＨＴ１から橋台２の側面で垂らした状態から、第一作業者ＯＰ１はホイスト側第一ワイヤＨＷ１の中間を握って引っ張るなどして、第二作業者ＯＰ２のいる第二側面７側に向かって振り子式に大きく揺らす。これにより、ホイスト側第一ワイヤＨＷ１の先端は、先端に固定したフックの重量などにより放物線を描いて第一側面６側から第二側面７側に大きく振れるので、ホイスト側第一ワイヤＨＷ１の中間部分が橋桁１の右側面から橋桁１の底面に当たって、さらに左側面を上昇しようとする。この結果、第二作業者ＯＰ２のいる第二側面７側までホイスト側第一ワイヤＨＷ１が届くので、第二作業者ＯＰ２はこれを受け止め易くなる。あるいは、第一作業者がホイスト側第一ワイヤの先端を、直接、第二作業者に向かって投げて渡してもよい。例えば第一作業者が、ホイスト側第一ワイヤの先端を下手投げの要領で第二作業者に向かって投げる。
【００５１】
このようにしてホイスト側第一ワイヤＨＷ１を、第一側面６側から橋桁１の下面を通して第二側面７側に渡した状態で、図１０に示すように、第二作業者ＯＰ２は、ホイスト側第一ワイヤＨＷ１の先端を、橋桁１の上面すなわち橋面側にいる第四作業者ＯＰ４に渡す。第四作業者ＯＰ４は必要に応じて、ホイスト側第一ワイヤＨＷ１の先端を欄干４に係止する等して、不意に落下させないように保持する。なお、後述するホイスト側第一ワイヤＨＷ１を吊足場１００に連結する作業を第二作業者ＯＰ２が行う場合は、この受け渡しは不要となる。
【００５２】
このようにして、図１０に示すようにホイスト側第一ワイヤＨＷ１を第一側面６と第二側面７の間に、橋桁１の底面を通して架けることができる。この方法であれば、特別な設備を用意することなく、比較的容易にかつ安全に、ホイスト側第一ワイヤＨＷ１を橋梁構造物の底面側を回して第一側面６と第二側面７との間に架けることが可能となる。
【００５３】
一般に、橋台の根元への移動と異なり、作業者の橋台の上面への移動については、図１１に示すように梯子３０をかけたり、あるいは常設された階段や梯子などを利用するなどして、比較的安全に行える。いいかえると、橋台の上面でなく、根元側への移動は、橋梁構造物の設置場所によっては相当な高度差があったり、危険を伴うことがある。これに対して、本実施形態に係る吊足場の架設方法では、安全かつ簡単に移動可能な橋台の上面への移動のみで、架設作業を完了できる利点が得られる。
【００５４】
またこの方法であれば、数名の作業者（ここでは２名）で殆どの作業を終えることができる。すなわち、少人数でも安全に、吊足場の架設作業を行うことができ、省力化、低コスト化に寄与し、ひいては橋梁の点検整備の充実や長寿命化、安全確保に貢献できる。
【００５５】
なお第一作業者ＯＰ１は第一ホイストＨＴ１を、第二作業者ＯＰ２は第二ホイストＨＴ２を、それぞれ操作できるよう、各ホイストの操作コンソールはホイスト本体からケーブルで引き出されている。これによって橋台２の上からでもホイストを操作可能となる。なお、ホイストの操作は有線で行う他、無線で行うように構成してもよい。また必要に応じて第一作業者ＯＰ１や第二作業者ＯＰ２は命綱を固定しておく。例えば、橋台の上面への昇降用の梯子などに命綱を連結することができる。
【００５６】
また、吊足場１００の第一足場吊設位置ＦＰ１に足場側第一ワイヤＳＷ１を、第二足場吊設位置ＦＰ２に足場側第二ワイヤＳＷ２を、それぞれ取り付ける。この作業は、後述する吊足場１００をクレーンＣＮで橋桁１の側面に吊り下げる前に行うことが好ましい。ただ、この作業を行う場所やタイミングは特に規定するものでない。例えば図１２に示すように、吊足場１００を運搬するトラックＴＫの荷台で行うことができる。また、この図に示すようにクレーン付きトラックを用いて吊足場１００を橋梁構造物まで運搬することで、必要な車両数を抑えて限られた人員でも効率良く作業を行える。
（第二工程：吊足場１００を懸吊する工程）
【００５７】
続いて、図１３に示すように吊足場１００を、橋桁１の側面に吊り下げる。ここでは、図３に示した吊足場１００等を、クレーンＣＮで吊り下げて、橋桁１の側面に移動させる。なお図１３の例では第二側面７側に吊り下げる例を示しているが、第一側面側でもよい。
【００５８】
吊足場１００には予め、足場側第一ワイヤＳＷ１と足場側第二ワイヤＳＷ２を固定している。足場側第一ワイヤＳＷ１は、吊足場１００の第一足場吊設位置ＦＰ１に、足場側第二ワイヤＳＷ２は、吊足場１００の第二足場吊設位置ＦＰ２に、それぞれ固定する。ここで第一足場吊設位置ＦＰ１、第二足場吊設位置ＦＰ２は、それぞれ、図１に示すように吊足場１００を橋桁１の底面に固定した状態で、第一ホイストＨＴ１、第二ホイストＨＴ２と対向する吊足場１００上の位置とする。これによって、吊足場１００を吊り下げるホイスト側第一ワイヤＨＷ１やホイスト側第二ワイヤＨＷ２の長さを短くできる。また足場側第一ワイヤＳＷ１と足場側第二ワイヤＳＷ２の先端にはそれぞれ、第一ホイストＨＴ１や第二ホイストＨＴ２のホイスト側第一ワイヤＨＷ１、ホイスト側第二ワイヤＨＷ２と接続するため、連結用フックやループなどを予め設けておく。
【００５９】
これら足場側第一ワイヤＳＷ１や足場側第二ワイヤＳＷ２は、図２に示すように、吊足場１００の足場部１１の長手方向に沿って設けられた一対の柵部１４の間を通すようにして、吊足場１００と固定することが好ましい。これによって、吊足場１００をホイストの一点で懸吊しつつも水平姿勢に維持し易くできる。
【００６０】
一方で、吊足場１００を吊り下げるクレーンＣＮのクレーンロープＣＲ先端は、吊足場１００の、例えば柵部１４に固定される。ここで吊足場１００にクレーンＣＮのクレーンロープＣＲを取り付ける位置は、吊足場１００の長手方向の中央でなく、一方の端部側とする。これによって、図１３に示すように吊足場１００を吊り下げた際、他方の端部側（図１３において右側）が下がるので、第二ホイストＨＴ２のホイスト側第二ワイヤＨＷ２の取り付け作業を行い易くなり、またこの端部から橋桁１を潜らせることが可能となる。また、クレーンロープＣＲの固定位置は、第一足場吊設位置ＦＰ１と同じ位置あるいは近傍としてもよい。これにより、クレーンロープＣＲの吊り下げ位置とワイヤの固定位置とを共通化して、ワイヤの固定作業の簡略化を図ることができる。
【００６１】
このようにして、足場側第一ワイヤＳＷ１と足場側第二ワイヤＳＷ２を固定した吊足場１００を、クレーンロープＣＲに取り付けた状態で、クレーンＣＮを操作させて吊り下げ、橋桁１の側面に位置させる。吊足場１００は、平面視においてその長手方向が、橋桁１を交差する姿勢となるようにクレーンＣＮを操作し、あるいは吊足場１００の浮かせた状態で作業者が手で吊足場１００を持つなどして、吊足場１００の姿勢を調整する。このとき作業者は、橋台２上面の左右にいる第一作業者ＯＰ１、第二作業者ＯＰ２に加え、クレーンＣＮの操作を行う第三作業者ＯＰ３と、クレーンＣＮで吊られた吊足場１００を管理する第四作業者ＯＰ４の４人となる。いいかえると、僅か４人で吊足場１００の架設作業を行うことができる。なお、クレーンＣＮで吊足場１００を吊り下げる際には、特に第一作業者ＯＰ１は手が空くので、この者が第四作業者ＯＰ４の作業を行うことで、さらに人員を減らすことも可能である。
（第三工程：ワイヤ同士の接続工程）
【００６２】
次に、吊足場１００に連結した足場側第一ワイヤＳＷ１と足場側第二ワイヤＳＷ２を、それぞれ第一ホイストＨＴ１、第二ホイストＨＴ２のホイスト側第一ワイヤＨＷ１、ホイスト側第二ワイヤＨＷ２と、それぞれ連結する。
【００６３】
まず、クレーンＣＮで懸吊された吊足場１００は、水平姿勢に維持するのでなく、図１３に示すように端部を垂らした姿勢で懸吊する。また吊足場１００の端部が、橋桁１の上に待機する第四作業者ＯＰ４が作業可能な高さとなるようにクレーンＣＮの高さやクレーンロープＣＲの繰り出し量を調整する。
【００６４】
そして、橋桁１の側面に近付けた状態で、図１４に示すように第四作業者ＯＰ４がたぐり寄せる。この際、作業者が直接手で吊足場１００をたぐり寄せる他、棒の先端にフック等を設けた引っ掛け棒等の部材を用いてもよい。また、吊足場１００の大きさや重量に応じて、第四作業者ＯＰ４を複数名とすることもできる。
【００６５】
次に、吊足場１００に連結した足場側第二ワイヤＳＷ２を、第二ホイストＨＴ２のホイスト側第二ワイヤＨＷ２に連結する。足場側第二ワイヤＳＷ２や足場側第一ワイヤＳＷ１の先端には、ワイヤ同士の連結が可能な機構、例えばループやフック等を予め設けている。ここでは、図１４に示すように、橋桁１の上で第四作業者ＯＰ４が、手でこれらのワイヤの先端を連結する。なお、吊足場が軽量で小型の場合等は、この連結作業を、第二作業者ＯＰ２に行わせることもできる。
【００６６】
そして吊足場１００にホイスト側第二ワイヤＨＷ２を連結した後、さらにクレーンＣＮを操作して吊足場１００を降下させて、図１５に示すように吊足場１００に連結した足場側第一ワイヤＳＷ１を、第一ホイストＨＴ１のホイスト側第一ワイヤＨＷ１と連結する。
【００６７】
次に、吊足場１００に連結した足場側第一ワイヤＳＷ１と足場側第二ワイヤＳＷ２を、それぞれ第一ホイストＨＴ１、第二ホイストＨＴ２のホイスト側第一ワイヤＨＷ１、ホイスト側第二ワイヤＨＷ２と、それぞれ連結する。ここでは、図１４に示すように、橋桁１の上で第四作業者ＯＰ４が、手でこれらのワイヤの先端を連結する。各ワイヤの先端には、ワイヤ同士の連結が可能な機構、例えばループやフック等を予め設けている。
【００６８】
なお、このようなワイヤの連結作業は、ここでは吊足場１００をクレーンＣＮで吊り下げて、かつ吊足場１００の姿勢を傾けた状態で行う例を示したが、本発明はこれに限らず、例えばクレーンを吊り下げた状態で先にワイヤを連結した後に、吊足場の姿勢を調整してもよい。あるいは吊足場をクレーンで吊り下げる前に、第一ホイスト、第二ホイストからホイスト側第一ワイヤ、ホイスト側第二ワイヤを引き出して、各ワイヤを連結してもよい。あるいはまた、この例では第四作業者ＯＰ４が橋桁１の上でワイヤの連結作業を行う例を示したが、ワイヤの連結作業は、橋台の上にいる第二作業者ＯＰ２に行わせることもできる。また、ワイヤの接続作業を橋桁上で行った後、この者が橋台の上に移動して第二作業者ＯＰ２として以降の作業を兼任することもできる。
【００６９】
さらに以上の例では、吊足場１００に足場側第一ワイヤＳＷ１、足場側第二ワイヤＳＷ２を固定し、ホイスト側第一ワイヤＨＷ１、ホイスト側第二ワイヤＨＷ２とそれぞれ連結する方法を説明した。この方法であれば、ホイスト側第一ワイヤＨＷ１を橋桁１の底面側に張る作業と吊足場１００を吊り下げる作業をそれぞれ個別に行えるので、効率良く吊足場１００の架設作業を進めることができる。
【００７０】
ただ、本発明は必ずしもホイスト側と吊足場側で個別のワイヤを用いる方法に限定するものでなく、共通のワイヤを用いてもよい。例えば、第一ホイストから引き出したホイスト側第一ワイヤの先端を、吊足場を吊り下げる前に直接吊足場に連結し、一方で第二ホイスト側引き出したホイスト側第二ワイヤを、同じく吊足場を吊り下げる前に直接吊足場に連結し、あるいは吊足場に固定された第二吊足場側ワイヤを、吊足場を吊り下げた状態で第二ホイストに連結してもよい。
（第四工程：吊足場１００のスイング移動工程）
【００７１】
このようにして吊足場１００にホイスト側第一ワイヤＨＷ１、ホイスト側第二ワイヤＨＷ２を連結した後、図１６に示すようにさらにクレーンＣＮを操作して吊足場１００を降下させ、さらに吊足場１００を縦向きの姿勢から先端を起こすようにして徐々に傾斜させていく。すなわち、橋桁１の側面から吊足場１００の先端を潜らせる姿勢とするように、橋桁１の側面に面した側の吊足場１００の端縁が、下り勾配となる姿勢とし、さらに水平姿勢に近付けるように回転させていく。必要に応じて、クレーンロープＣＲを水平方向に、橋桁１から遠ざかる方向に後退させて、反対側の端縁を持ち上げてもよい。
【００７２】
図１６の状態では、吊足場１００と第一ホイストＨＴ１、第二ホイストＨＴ２がワイヤでもって接続された状態となる。そして吊足場１００は、第二側面７側の上方からクレーンＣＮで、第一足場吊設位置ＦＰ１側が第二足場吊設位置ＦＰ２側よりも下となる姿勢で吊り下げられている。ここで、第一ホイストＨＴ１による、ホイスト側第一ワイヤＨＷ１の巻き取り量と、第二ホイストＨＴ２によるホイスト側第二ワイヤＨＷ２の巻き取り量と、クレーンＣＮ側の操作、すなわちクレーンＣＮの移動やクレーンロープＣＲの繰り出し量を制御することで、吊足場１００の姿勢を徐々に変更することができる。
【００７３】
すなわち図１６に示すように、ホイスト側第一ワイヤＨＷ１は、予め橋桁１の底面を潜らせている。この状態から、吊足場１００を橋桁１の側面から底面側に徐々に移動させる。ここでは、クレーンＣＮによる吊足場１００の降下と、第一ホイストＨＴ１の巻き取りによる吊足場１００を引っ張る横方向の移動を組み合わせて、吊足場１００を回転あるいは揺動させるスイング移動を実現している。すなわち、図１６に示すように、吊足場１００を、橋桁１に面した側の先端を下り勾配に傾斜させた姿勢から、第一ホイストＨＴ１でホイスト側第一ワイヤＨＷ１を巻き取り、第二ホイストＨＴ２でホイスト側第二ワイヤＨＷ２を巻き取り、かつクレーンＣＮを降下させあるいはクレーンロープＣＲを繰り出して、図１７に示すように、徐々に吊足場１００の先端を持ち上げて平行姿勢に近付け、かつ全体を降下させて、図１８に示すように橋桁１の下方に移動させていく。このため、第一ホイストＨＴ１による、ホイスト側第一ワイヤＨＷ１の巻き取り量と、第二ホイストＨＴ２によるホイスト側第二ワイヤＨＷ２の巻き取り量と、クレーンＣＮによる降下又はクレーンロープＣＲの繰り出し量を、互いに調和を取るように操作する。ここでは、第一作業者ＯＰ１が第一ホイストＨＴ１を、第二作業者ＯＰ２が第二ホイストＨＴ２を、第三作業者ＯＰ３がクレーンＣＮを、それぞれ操作しており、これらの者が互いに声を直接口頭で、あるいは無線や電話を通じて掛け合いながら、連携作業を行う。また橋桁１の上から第四作業者ＯＰ４が全体の指揮を執るようにしてもよい。
（緩衝材２０）
【００７４】
なお、ホイスト側第一ワイヤＨＷ１を橋桁１の底面に這わせて、吊足場１００を引っ張る際、ホイスト側第一ワイヤＨＷ１が橋桁１の底面と側面の隅部に接触することがある。この状態でホイスト側第一ワイヤＨＷ１を巻き取ると、ホイスト側第一ワイヤＨＷ１が擦れて摩耗したり損傷を受けることが考えられる。そこで、図１７に示すように、橋桁１の隅部に、緩衝材２０を配置して、直接ホイスト側第一ワイヤＨＷ１が橋桁１と触れることを避け、摩耗を低減することが可能となる。図の例では緩衝材２０は、橋桁１の下端隅部を覆うように断面視Ｌ字状に形成された板状としている。ただ、緩衝材２０の形状はこれに限らず、例えばＨ鋼状の隅部を挟み込むような断面視Ｃ字状やＵ字状としたり、あるいはホイスト側第一ワイヤをガイドする滑車状としてもよい。また緩衝材２０は、潤滑性に優れた材質、例えばテフロンやフッ素樹脂等が挙げられる。
【００７５】
このようにして、ホイスト側第一ワイヤＨＷ１、ホイスト側第二ワイヤＨＷ２、クレーンＣＮの吊り下げ高さを、それぞれ調整しながら、吊足場１００を、第二側面７側の上方から、下方側に降下させつつ、第一足場吊設位置ＦＰ１と第二足場吊設位置ＦＰ２との高低差が小さくなるように、吊足場１００を回転させて、吊足場１００を橋桁１の下方に位置するように移動させることができる。
（第五工程：ホイストで吊足場１００を固定する工程）
【００７６】
そして、吊足場１００を橋桁１の下方に位置させると、クレーンロープＣＲを吊足場１００から外して、第一ホイストＨＴ１及び第二ホイストＨＴ２で、ホイスト側第一ワイヤＨＷ１及びホイスト側第二ワイヤＨＷ２を巻き上げ、図１に示すように吊足場１００を橋梁構造物の底面に固定する。クレーンロープＣＲを外す作業は、第二作業者ＯＰ２が行う。また第一ホイストＨＴ１、第二ホイストＨＴ２の巻き上げ作業は、第一作業者ＯＰ１、第二作業者ＯＰ２が行う。また必要に応じて、吊足場１００の柵部１４の上面と橋桁１の下面との接触部位に、クランプ状の固定具等を用いて連結することもできる。
【００７７】
このようにして、吊足場１００を橋桁１の側面から潜らせるように降下、回転させて、橋桁１の底面に吊足場１００を移動させることが可能となる。しかもこの方法であれば、作業者が橋台や橋脚の根元まで下りる必要もなく、労力も少なく、安全に作業できる。さらにこの方法であれば、橋梁と河床の空間を利用して、河床の状態や、河床からの高さに影響を受けないため、汎用性があり、安全性に優れかつ迅速な架設・撤去が可能で経済性にも秀でた工法である。
【産業上の利用可能性】
【００７８】
本発明の架設方法によれば、橋梁の検査用や洗浄作業用の足場及びその架設方法として好適に利用できる。
【符号の説明】
【００７９】
１００…吊足場
１…橋桁
１Ｘ…主桁
２、２Ｘ…橋台
３…橋脚
４…欄干
５、５Ｘ…支承部
６…第一側面
７…第二側面
１１…足場部
１２…穴部
１４…柵部
２０…緩衝材
３０…梯子
１００Ｙ…足場
２１１…フロート付き吊足場
２１２…フロート部
２１６…第一ワイヤ
ＣＮ…クレーン
ＣＲ…クレーンロープ
ＨＷ１…ホイスト側第一ワイヤ
ＨＷ２…ホイスト側第二ワイヤ
ＨＴ１…第一ホイスト
ＨＴ２…第二ホイスト
ＯＰ１…第一作業者
ＯＰ２…第二作業者
ＯＰ３…第三作業者
ＯＰ４…第四作業者
ＳＷ１…足場側第一ワイヤ
ＳＷ２…足場側第二ワイヤ
ＦＰ１…第一足場吊設位置
ＦＰ２…第二足場吊設位置
ＴＫ…トラック
ＲＲ…伸縮式の棒
ＦＲ…固定式の棒
ＷＦ…ワイヤ接続部
ＬＷ…リードワイヤ
ＳＤ…堆積物
ＢＲ、ＢＲ２…橋梁構造物
【図１】
2019127750.tif 000003
【図２】
2019127750.tif 000004
【図３】
2019127750.tif 000005
【図４】
2019127750.tif 000006
【図５】
2019127750.tif 000007
【図６】
2019127750.tif 000008
【図７】
2019127750.tif 000009
【図８】
2019127750.tif 000010
【図９】
2019127750.tif 000011
【図１０】
2019127750.tif 000012
【図１１】
2019127750.tif 000013
【図１２】
2019127750.tif 000014
【図１３】
2019127750.tif 000015
【図１４】
2019127750.tif 000016
【図１５】
2019127750.tif 000017
【図１６】
2019127750.tif 000018
【図１７】
2019127750.tif 000019
【図１８】
2019127750.tif 000020
【図１９】
2019127750.tif 000021
【図２０】
2019127750.tif 000022
【図２１】
2019127750.tif 000023
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
橋台又は橋脚上に橋桁を配置した橋梁構造物であって、橋台又は橋脚の上面を作業者が移動することを橋脚に阻まれてなる橋梁構造物に、吊足場を架設する吊足場の架設方法であって、
架設の対象となる橋梁構造物の、橋桁の幅方向の一方の側面である第一側面と、前記第一側面の反対側の側面である第二側面との間に、ホイスト側第一ワイヤを、橋桁の底面を通して架ける工程と、
前記橋桁の第一側面に第一ホイストを、第二側面に第二ホイストを、それぞれ固定した状態であって、かつ前記吊足場の、
該吊足場が橋桁の底面に固定された状態で前記第一ホイストと対向することになる第一足場吊設位置に、前記ホイスト側第一ワイヤの一端を、
該吊足場が橋桁の底面に固定された状態で前記第二ホイストと対向することになる第二足場吊設位置に、ホイスト側第二ワイヤの一端を、それぞれ固定すると共に、
前記ホイスト側第二ワイヤの他端を、前記第二ホイストに固定した状態で、
前記吊足場を、前記第二側面側の上方からクレーンで、前記第一足場吊設位置側が前記第二足場吊設位置側よりも下となる姿勢で吊り下げる工程と、
前記第一ホイストで、前記ホイスト側第一ワイヤの巻き取り量と、
前記第二ホイストで、前記ホイスト側第二ワイヤの巻き取り量と、
前記クレーンの吊り下げ高さを、それぞれ調整しながら、前記吊足場を、前記第二側面側の上方から、下方側に降下させつつ、前記第一足場吊設位置と第二足場吊設位置との高低差が小さくなるように、前記吊足場を回転させて、前記吊足場を前記橋桁の下方に位置するように移動させる工程と、
前記第一ホイスト及び第二ホイストで、前記ホイスト側第一ワイヤ及びホイスト側第二ワイヤを巻き上げて、前記吊足場を橋梁構造物の底面に固定する工程と、
を含む吊足場の架設方法。
【請求項２】
請求項１に記載の吊足場の架設方法であって、
前記第一側面と第二側面の間に前記ホイスト側第一ワイヤを架ける工程が、
前記ホイスト側第一ワイヤの他端を、前記第一側面又は第二側面の一方に固定し、
前記ホイスト側第一ワイヤの一端を、前記第一側面又は第二側面の他方に受け渡す工程を含む吊足場の架設方法。
【請求項３】
請求項２に記載の吊足場の架設方法であって、
前記第一側面と第二側面の間に前記ホイスト側第一ワイヤを架ける工程が、作業者が橋台又は橋脚の上に下りて行う作業である吊足場の架設方法。
【請求項４】
請求項２又は３に記載の吊足場の架設方法であって、
前記第一側面と第二側面の間に前記ホイスト側第一ワイヤを架ける工程が、
前記第一側面側及び第二側面側に、それぞれ作業者を配置して、前記ホイスト側第一ワイヤを受ける側の作業者が、細長く延長された棒の先端側を、前記ホイスト側第一ワイヤを送る側の作業者に向けて伸ばす工程と、
前記ホイスト側第一ワイヤを送る側の作業者が、前記棒の先端側を受けて、該棒に前記ホイスト側第一ワイヤを接続する工程と、
前記ホイスト側第一ワイヤを受ける側の作業者が、前記棒を引き寄せて、該棒の先端側に接続された前記ホイスト側第一ワイヤを受ける工程と
を含む吊足場の架設方法。
【請求項５】
請求項４に記載の吊足場の架設方法であって、
前記ホイスト側第一ワイヤを送る側の作業者が、前記棒の先端側に前記ホイスト側第一ワイヤを接続する工程が、
前記ホイスト側第一ワイヤに接続された、該ホイスト側第一ワイヤよりも軽量のリードワイヤを、前記棒の先端側に設けられたワイヤ接続部に接続する工程を含み、
前記ホイスト側第一ワイヤを受ける側の作業者が、前記棒を引き寄せて、該棒の先端側に接続された前記ホイスト側第一ワイヤを受ける工程が、
前記棒の先端側に接続されたリードワイヤを、前記棒を用いて引き寄せる工程と、
前記リードワイヤを引っ張り、該リードワイヤに接続された前記ホイスト側第一ワイヤを引き寄せる工程と、
を含む吊足場の架設方法。
【請求項６】
請求項４又は５に記載の吊足場の架設方法であって、
前記棒として、伸縮式で、先端にフックを設けた棒を用いてなる吊足場の架設方法。
【請求項７】
請求項１〜６のいずれか一項に記載の吊足場の架設方法であって、
前記第一側面と第二側面の間に前記ホイスト側第一ワイヤを架ける工程が、前記第一側面に第一ホイストを、前記第二側面に第二ホイストを、それぞれ固定する工程を含む吊足場の架設方法。
【請求項８】
請求項１〜７のいずれか一項に記載の吊足場の架設方法であって、
前記吊足場を前記橋桁の下方に位置するように移動させる工程が、
前記吊足場の、
前記第一足場吊設位置に、足場側第一ワイヤを取り付け、かつ
前記第二足場吊設位置に、足場側第二ワイヤを取り付け、
前記吊足場を、前記第二側面側の上方からクレーンで吊り下げた状態で、
前記足場側第一ワイヤを、前記ホイスト側第一ワイヤと接続し、かつ
前記足場側第二ワイヤを、前記ホイスト側第二ワイヤと接続する工程を含む吊足場の架設方法。
【請求項９】
請求項１〜８のいずれか一項に記載の吊足場の架設方法であって、
前記クレーンで吊足場を吊り下げる位置が、前記第一足場吊設位置である吊足場の架設方法。
【請求項１０】
請求項１〜９のいずれか一項に記載の吊足場の架設方法であって、
前記ホイスト側第一ワイヤが、前記橋桁の下端隅部と接触する位置に、前記ホイスト側第一ワイヤと前記橋桁下端隅部との間に緩衝材を介在させてなる吊足場の架設方法。
【請求項１１】
請求項１〜１０のいずれか一項に記載の吊足場の架設方法であって、
前記第一足場吊設位置及び前記第二足場吊設位置が、前記吊足場の、矩形状の足場部の上面に設けられた柵部上である吊足場の架設方法。
【手続補正２】
【補正対象書類名】明細書
【補正対象項目名】全文
【補正方法】変更
【補正の内容】
【発明の詳細な説明】
【技術分野】
【０００１】
本発明は橋梁構造物の検査や清掃等の保守作業用の吊足場の架設方法及び吊足場に関する。
【背景技術】
【０００２】
橋梁やトンネルといった構造物は、設営後に適切に維持、修繕する必要がある。すなわち経年劣化による事故を未然に回避するため、道路管理者が構造物を定期的に点検することが求められる。特に平成２４年１２月２日に発生した中央自動車道笹子トンネル天井板落下事故が発生したこと等を背景に、国土交通省は平成２６年７月１日より、トンネルや２ｍ以上の道路橋などを、５年に１回の頻度で点検することを義務付けている。その点検方法は、従来の遠望目視でなく、近接目視が基本とされている。
【０００３】
このような橋梁構造物の内、鋼製の橋梁については、橋を支える支承部の劣化が問題となっている。一般に橋梁は、主桁や主構等の上部構造と、橋台や橋脚等の下部構造との間に、支承部を介在させ、温度変化の影響による主桁等の伸縮の吸収や耐震性の向上を図っている。支承部は、その設置された環境や機能により、橋梁において最も損傷し易い部材の一つとされている。支承部の一例を、図１９の縦断面図に示す。この支承部５Ｘは、橋台２Ｘと主桁１Ｘの間に配置されており、主桁１Ｘからの活荷重や死荷重を常時受けて移動や回転を繰り返す。この支承部５Ｘは主桁１Ｘの裏側に配置されるため、直射日光が当たり難く影になる狭隘な閉鎖空間であって、風通しも悪い。一方で主桁１Ｘの隙間や側面から土砂や雨水が流れ落ちて、土砂などの堆積物ＳＤが堆積し易い。さらに雨水の滞水も生じ易く、湿潤な状態となる結果、支承部５Ｘの発錆や腐食が発生し易い環境となる。
【０００４】
したがって、支承部の堆積土砂を除去する除土作業等の清掃や洗浄といった維持管理は、橋梁のメンテナンスにおいて極めて重要である。堆積土砂を除去し支承部を洗浄することで、橋梁の大幅な長寿命化を図ることができると考えられる。このような土砂の除去作業にも、足場を組むことが必要となる。
【０００５】
しかしながら、近接目視や橋梁のメンテナンス等の作業（以下、これらをまとめて「検査作業」ということがある。）を主桁の裏側で行うには、図２０に示すように、橋梁構造物ＢＲの裏面側に作業者が入れるような足場１００Ｙを組む必要があり、極めて時間とコストがかかるという問題がある。全国で２ｍ以上の橋は約７０万橋存在するといわれており、そのうち市町村に管理されているものは約４８万橋存在しているとされ、道路管理者である地方公共団体、とりわけ町村には、点検のコストは大きな負担となることが懸念される。
【０００６】
以上のように、従来の検査方法は交通規制が必要であったり、工数が多く人的コストが高くなる等の問題があり、簡便かつ安価な検査方法は確立されていなかった。特に検査対象となる橋梁構造物の多い地域ではコストの高騰が懸念され、予算の捻出が社会的な問題となり、簡便で安価な検査方法が要求されている。
【０００７】
これに対して、本願出願人は、図２１に示すようなフロート付き吊足場２１１を橋梁構造物に架設する方法を開発した（特許文献１）。この架設方法は、吊足場部の下側にフロート部２１２を固定したフロート付き吊足場２１１を準備する工程と、フロート付き吊足場２１１を架設の対象となる橋梁構築物ＢＲ２の下方まで、水上に浮かべて移動させる工程と、橋梁構造物ＢＲ２の両側の側面の第一橋梁側面位置にフロート付き吊足場２１１を第一ワイヤ２１６で接続する工程と、第一ワイヤ２１６を引き上げて、フロート付き吊足場２１１を橋梁構造物ＢＲ２に吊す工程とを含む。これによって、河川や海の上にフロート付き足場を浮かべて引き上げることにより、橋梁に吊足場を容易に架設することが可能となる。
【０００８】
しかしながら、この方法は橋梁構造物の下方に河川や海などの水面が存在することが前提となり、水面のない環境では利用できない問題があった。特に中山間地のような場所に架設された橋梁は、谷が深い渓流地にある場合等、橋梁の下方は険しい谷になっていたり、橋梁が高い位置に架設されていることがある。このような場所では、たとえ陸上であっても高所作業車を橋梁の下部に移動させることが困難であり、吊足場の設置が必要となるものの、除土清掃のため局部的な足場を設けることが割高となることがあった。また足場の架設等の作業のために作業者が橋梁の下に下りるのが手間がかかる上、危険なことがあり、作業者の安全性の確保が容易でないという問題があった。
【先行技術文献】
【特許文献】
【０００９】
【特許文献１】特許第６０１８６９１号公報
【発明の概要】
【発明が解決しようとする課題】
【００１０】
本発明は、このような背景に鑑みてなされたものである。本発明の目的の一は、橋梁の下に降りることなく、橋梁構造物に足場を設置可能とした吊足場の架設方法と、その架設に用いる吊足場を提供することにある。
【課題を解決するための手段及び発明の効果】
【００１１】
上記課題を解決するために、本発明の第１の橋梁構造物における吊足場の架設方法によれば、橋梁構造物に、矩形状の足場部の上面に柵部を有する吊足場を架設する吊足場の架設方法であって、架設の対象となる橋梁構造物の、橋桁の幅方向の一方の側面である第一側面と、前記第一側面の反対側の側面である第二側面との間に、ホイスト側第一ワイヤを、橋桁の底面を通して架ける工程と、前記橋桁の第一側面に第一ホイストを、第二側面に第二ホイストを、それぞれ固定した状態であって、かつ前記吊足場の、該吊足場が橋桁の底面に固定された状態で前記第一ホイストと対向することになる第一足場吊設位置に、前記ホイスト側第一ワイヤの一端を、該吊足場が橋桁の底面に固定された状態で前記第二ホイストと対向することになる第二足場吊設位置に、ホイスト側第二ワイヤの一端を、それぞれ固定すると共に、前記ホイスト側第二ワイヤの他端を、前記第二ホイストに固定した状態で、前記吊足場を、前記第二側面側の上方からクレーンで、前記第一足場吊設位置側が前記第二足場吊設位置側よりも下となる姿勢で吊り下げる工程と、前記第一ホイストで、前記ホイスト側第一ワイヤの巻き取り量と、前記第二ホイストで、前記ホイスト側第二ワイヤの巻き取り量と、前記クレーンの吊り下げ高さを、それぞれ調整しながら、前記吊足場を、前記第二側面側の上方から、下方側に降下させつつ、前記第一足場吊設位置と第二足場吊設位置との高低差が小さくなるように、前記吊足場を回転させて、前記吊足場を前記橋桁の下方に位置するように移動させる工程と、前記第一ホイスト及び第二ホイストで、前記ホイスト側第一ワイヤ及びホイスト側第二ワイヤを巻き上げて、前記吊足場を橋梁構造物の底面に固定する工程とを含むことができる。これにより吊足場を橋梁構造物の側面から潜らせるように降下、回転させて、橋梁構造物の底面に吊足場を移動させることが可能となる。しかもこの方法であれば、作業者が橋梁構造物を設営した下に下りる必要もなく、安全に作業できる。
【００１２】
また、本発明の第２の橋梁構造物における吊足場の架設方法によれば、上記何れかに加えて、前記第一側面と第二側面の間に前記ホイスト側第一ワイヤを架ける工程が、前記ホイスト側第一ワイヤの他端を、前記第一側面又は第二側面の一方に固定し、前記ホイスト側第一ワイヤの一端を、前記第一側面又は第二側面の他方に受け渡す工程を含むことができる。
【００１３】
さらに、本発明の第３の橋梁構造物における吊足場の架設方法によれば、上記何れかに加えて、前記第一側面と第二側面の間に前記ホイスト側第一ワイヤを架ける工程を、作業者が橋台又は橋脚の上に下りて行うことができる。これにより、作業者は橋台や橋脚の上に下りるだけで足り、橋台等の下まで下りることなく吊足場の架設作業を行えるため、作業性や安全性の確保の点で極めて有益となる。
【００１４】
さらにまた、本発明の第４の橋梁構造物における吊足場の架設方法によれば、上記何れかに加えて、前記第一側面と第二側面の間に前記ホイスト側第一ワイヤを架ける工程が、前記第一側面側及び第二側面側に、それぞれ作業者を配置して、前記ホイスト側第一ワイヤを受ける側の作業者が、細長く延長された棒の先端側を、前記ホイスト側第一ワイヤを送る側の作業者に向けて伸ばす工程と、前記ホイスト側第一ワイヤを送る側の作業者が、前記棒の先端側を受けて、該棒に前記ホイスト側第一ワイヤを接続する工程と、前記ホイスト側第一ワイヤを受ける側の作業者が、前記棒を引き寄せて、該棒の先端側に接続された前記ホイスト側第一ワイヤを受ける工程とを含むことができる。これにより、橋桁に阻まれて作業者が自由に移動できない橋台や橋脚の上面でホイスト側第一ワイヤを左右に渡す作業を、細長い棒を用いて安全に受け渡すことが可能となる。
【００１５】
さらにまた、本発明の第５の橋梁構造物における吊足場の架設方法によれば、上記何れかに加えて、前記ホイスト側第一ワイヤを送る側の作業者が、前記棒の先端側に前記ホイスト側第一ワイヤを接続する工程が、前記ホイスト側第一ワイヤに接続された、該ホイスト側第一ワイヤよりも軽量のリードワイヤを、前記棒の先端側に設けられたワイヤ接続部に接続する工程を含み、前記ホイスト側第一ワイヤを受ける側の作業者が、前記棒を引き寄せて、該棒の先端側に接続された前記ホイスト側第一ワイヤを受ける工程が、前記棒の先端側に接続されたリードワイヤを、前記棒を用いて引き寄せる工程と、前記リードワイヤを引っ張り、該リードワイヤに接続された前記ホイスト側第一ワイヤを引き寄せる工程とを含むことができる。これにより、重量のあるホイスト側第一ワイヤを直接棒の先端側に接続するのでなく、一旦軽量なリードワイヤを棒の先端側に接続した後、このリードワイヤを棒で引き寄せることにより、軽い力でも物理的に送り側から受け側にリードワイヤの受け渡し作業を行うことができる。さらにリードワイヤを受け側で取得した後は、力を要する作業も手元のリードワイヤに対して行い易くなるので、リードワイヤを引っ張って、より重いホイスト側第一ワイヤを引き寄せることが可能となる。このように、重いホイスト側第一ワイヤを直接やりとりするのでなく、より軽いリードワイヤの授受を先に行った上で行うことで、作業をよりスムーズにかつ安全に行える利点が得られる。
【００１６】
さらにまた、本発明の第６の橋梁構造物における吊足場の架設方法によれば、上記何れかに加えて、前記棒として、伸縮式で、先端にフックを設けた棒を用いることができる。これにより、簡単な機構を用いながら安全にリードワイヤやホイスト側第一ワイヤの受け渡しが可能となる。
【００１７】
さらにまた、本発明の第７の橋梁構造物における吊足場の架設方法によれば、上記何れかに加えて、前記第一側面と第二側面の間に前記ホイスト側第一ワイヤを架ける工程が、前記第一側面に第一ホイストを、前記第二側面に第二ホイストを、それぞれ固定する工程を含むことができる。これにより、ホイスト側第一ワイヤを予め第一ホイスト又は第二ホイストに繋いだままで第一側面と第二側面の間にホイスト側第一ワイヤを架けて、後の作業を簡素化できる利点が得られる。
【００１８】
さらにまた、本発明の第８の橋梁構造物における吊足場の架設方法によれば、上記何れかに加えて、記吊足場を前記橋桁の下方に位置するように移動させる工程が、前記吊足場の、前記第一足場吊設位置に、足場側第一ワイヤを取り付け、かつ前記第二足場吊設位置に、足場側第二ワイヤを取り付け、前記吊足場を、前記第二側面側の上方からクレーンで吊り下げた状態で、前記足場側第一ワイヤを、前記ホイスト側第一ワイヤと接続し、かつ前記足場側第二ワイヤを、前記ホイスト側第二ワイヤと接続する工程を含むことができる。
【００１９】
さらにまた、本発明の第９の橋梁構造物における吊足場の架設方法によれば、上記何れかに加えて、前記クレーンで吊足場を吊り下げる位置を、前記第一足場吊設位置とすることができる。これにより、クレーンの吊り下げ位置とワイヤの固定位置とを共通化して、ワイヤの固定作業の簡略化を図ることができる。
【００２０】
さらにまた、本発明の第１０の橋梁構造物における吊足場の架設方法によれば、上記何れかに加えて、前記ホイスト側第一ワイヤが、前記橋桁の下端隅部と接触する位置に、前記ホイスト側第一ワイヤと前記橋桁下端隅部との間に緩衝材を介在させることができる。これにより、ホイスト側第一ワイヤを巻き取る際に橋桁の下端隅部と擦れて摩耗する事態を回避することができる。
【００２１】
さらにまた、本発明の第１１の橋梁構造物における吊足場の架設方法によれば、上記何れかに加えて、前記第一足場吊設位置及び前記第二足場吊設位置を、前記吊足場の、矩形状の足場部の上面に設けられた柵部上とすることができる。これにより、吊足場の柵部をワイヤの固定位置として兼用することができる。
【図面の簡単な説明】
【００２２】
【図１】吊足場を橋桁の下面に固定した様子を示す模式横断面図である。
【図２】図１の橋桁の下面に固定された吊足場を示す模式側面である。
【図３】吊足場を示す斜視図である。
【図４】第二作業者が棒を第一側面側に送り出す様子を示す模式断面図である。
【図５】伸縮式の棒を示す模式平面図である。
【図６】第二作業者が棒を第一側面側に送り出す様子を示す模式平面図である。
【図７】第二作業者が、棒を引き寄せる状態を示す模式断面図である。
【図８】第二作業者が、リードワイヤを引っ張ってホイスト側第一ワイヤを引き寄せる状態を示す模式断面図である。
【図９】第二作業者が固定式の棒を第一作業者に送り出す様子を示す模式断面図である。
【図１０】図４の状態から、ホイスト側第一ワイヤを第一側面と第二側面の間に橋桁の底面を通して架けた状態を示す模式断面図である。
【図１１】橋台に梯子を設置した状態を示す斜視図である。
【図１２】吊足場に足場側第一ワイヤ、足場側第二ワイヤを取り付ける作業を行う様子を示す模式側面図である。
【図１３】図１０の状態から、吊足場を懸吊する様子を示す模式断面図である。
【図１４】図１３の状態から、吊足場の足場側第一ワイヤと足場側第二ワイヤを、第一ホイストのホイスト側第一ワイヤ、第二ホイストのホイスト側第二ワイヤと、それぞれ連結する様子を示す模式断面図である。
【図１５】図１４の状態から、第一ホイスト、第二ホイストとワイヤで接続した吊足場を橋桁の側面に吊り下げる様子を示す模式断面図である。
【図１６】図１４の状態から、第一ホイスト、第二ホイストとワイヤで接続した吊足場を橋桁の側面に吊り下げる様子を示す模式断面図である。
【図１７】図１５の状態から、吊足場をさらに回転させる様子を示す模式断面図である。
【図１８】図１７の状態から、吊足場を橋桁の下方に移動させる様子を示す模式断面図である。
【図１９】橋梁の支承部が経年劣化する様子を示す模式縦断面図である。
【図２０】従来の吊足場による橋梁構造物の検査方法を示す図である。
【図２１】本出願が先に開発した足場の架設方法を示す正面図である。
【発明を実施するための形態】
【００２３】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部品を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００２４】
本発明の実施形態１に係る吊足場の架設方法を用いて、橋桁の下面に固定された吊足場を、図１及び図２に示す。これらの図に示す吊足場１００は、橋梁構造物の裏側を検査するために用いられるものである。すなわち、橋梁構造物の裏側を作業者が目視で検査したり、除土作業や洗浄作業といった清掃作業を行えるように、吊足場１００を橋梁構造物の下方に、簡易な方法で架設可能としたものである。
（吊足場１００）
【００２５】
吊足場１００は、クレーンなどで吊り下げやすいよう、軽量で、かつ作業者が載って作業できる十分な強度を有するものとする。吊足場１００の一例を図３の斜視図に示す。この図に示す吊足場１００は、足場部１１と、柵部１４を備え、足場部１１の周囲を柵部１４で覆っている。
（足場部１１）
【００２６】
足場部１１は、その上に作業員が乗って作業をするための部材である。足場部１１は、平面視を矩形状とする足板状の部材や、メッシュ状の部材を用いることができる。また足場部１１は、軽量な材質、例えばアルミニウム材が好ましいが、強度が十分であれば材質は特定しない。例えばスチール製としたり、あるいはＦＲＰなどの樹脂製としてもよい。
【００２７】
図３に示す例では、足場部１１の表面に穴部１２が複数形成されている。この穴部１２の周囲を表面に突出させることで、作業員が足を滑らせる事態を抑制できる。
（柵部１４）
【００２８】
また吊足場１００は足場部１１の上面の四方を覆うように柵部１４を備える。柵部１４は作業員の転落防止のための柵である。柵部１４は、パイプ状又は角柱状の部材を組み合わせて構成される。また、ワイヤを固定するための部材としても利用できる。柵部１４の上端面及び長手方向の両端面を開放することで、橋梁構造物に架設した際、作業員は上部から体を出して橋桁の裏側の検査をすることができる。
【００２９】
また吊足場は、複数を連結式とすることもできる。複数の吊足場を長手方向に連結することで、異なる幅の橋梁構造物や橋桁に対応させることができる。この場合は、吊足場の両端面を開放して、複数の吊足場を連結する界面において障害をなくし、作業者が足場部上を渡って他の吊足場へ移動することができる。
【００３０】
この例では柵部１４も軽量なアルミニウムを用いている。柵部１４も軽量な部材が好ましいが、強度が十分であればよく、材質は特に特定しない。
（吊足場の架設方法）
【００３１】
橋梁構造物の裏面側の点検や整備、清掃等の作業のために、作業者の足場を設ける際、従来は橋梁構造物の下方からクレーン等を使って吊足場を引き上げて設置することが行われてきた。しかしながら、この方法ではクレーンなどの重機が必要で作業が大掛かりとなる上、橋台や橋脚の下方に作業者が下りる必要があった。また必ずしも橋梁構造物の下方に作業者が安全に下りて作業できるとは限らず、同様に橋梁構造物の下方に重機を配置できるとも限らず、山奥などでは重機の搬入自体が困難であったり、搬入作業に人手も手間も費用もかかってしまうという問題があった。これに対して本実施形態に係る吊足場の架設方法では、吊足場を少ない人数でも橋梁構造物の裏面側に架設可能としたものである。
【００３２】
以下、吊足場を橋梁構造物に架設する方法を、図４〜図１８に基づいて説明する。ここでは、橋台２の上方で、橋桁の裏側に吊足場１００を固定する方法について説明する。また吊足場１００として、軽量でクレーンＣＮなどで吊り下げやすい軽量吊足場を用いている。なお、以下では橋台２の上方に吊足場を架設する例を説明するが、本発明はこれに限らず、橋脚３の上方に吊足場を仮設する方法にも同様に適用できることはいうまでもない。
（第一工程：ホイスト側第一ワイヤを橋桁の底面側に張る工程）
【００３３】
まず、図４に示すように、架設の対象となる橋梁構造物の、橋桁１の幅方向の一方の側面である第一側面６（図において右側）と、第一側面６の反対側の側面である第二側面７（図において左側）との間に、ホイスト側第一ワイヤＨＷ１を、橋桁１の底面を通して架ける。
【００３４】
ここでは予め、第一側面６に第一ホイストＨＴ１を、第二側面７に第二ホイストＨＴ２を、それぞれ固定しておく。例えば、第一ホイストＨＴ１や第二ホイストＨＴ２を、橋脚の上部の欄干４等に固定できる。第一ホイストＨＴ１及び第二ホイストＨＴ２は、電動式などによりホイスト側第一ワイヤＨＷ１、ホイスト側第二ワイヤＨＷ２をそれぞれ巻き上げ可能としている。また、ホイスト側第一ワイヤＨＷ１は、第一ホイストＨＴ１に固定しておき、ホイスト側第一ワイヤＨＷ１の先端を、第一ホイストＨＴ１から引き出す。すなわちホイスト側第一ワイヤＨＷ１は、先端を自由端とし、他端を第一ホイストＨＴ１に固定している。ホイスト側第一ワイヤＨＷ１は、吊足場１００の吊り下げに耐える十分な強度を有するワイヤやハーネス、チェーン等が利用できる。
【００３５】
またホイスト側第一ワイヤＨＷ１の先端には、ある程度の重量を有する金属製のフック等を予め固定しておく。さらにホイスト側第一ワイヤＨＷ１の長さは、第一ホイストＨＴ１から、橋桁１の右側の側面、底面、及び左側の側面を経由して第二ホイストＨＴ２に至る十分な長さに引き出しておく。
【００３６】
さらに、作業者を橋台２の上面に配置する。ここでは、２名の作業者を用いて、第一作業者ＯＰ１を橋台２上面の内、第一側面６側に、また第二作業者ＯＰ２を、橋台２の上面の内、第二側面７側に、それぞれ配置する。一般に橋台２の上面には、図４に示すように支承部５を介して橋桁１が載置されているため、橋桁１が妨げとなって作業者が橋台２の上面を自由に移動することができない。そこで、橋台２の上面であって、橋桁１の両側側面に生じる空間に、第一作業者ＯＰ１、第二作業者ＯＰ２をそれぞれ配置する。
【００３７】
そして、第一ホイストＨＴ１から引き出されたホイスト側第一ワイヤＨＷ１を、反対側に位置する第二作業者ＯＰ２側に移動させる。ここでは、第二作業者ＯＰ２が、棒ＲＲを使って第一作業者ＯＰ１からホイスト側第一ワイヤＨＷ１を受け取る。まず、第二作業者ＯＰ２は図４に示すように、細長く延長された棒ＲＲの先端側を、第一作業者ＯＰ１に向かって伸ばしていく。一方、第二作業者ＯＰ２は、棒ＲＲの先端側を受けて、この棒ＲＲにホイスト側第一ワイヤＨＷ１を接続する。その後、第一作業者ＯＰ１は、棒ＲＲを再度引き寄せて、この棒ＲＲの先端側に接続されたホイスト側第一ワイヤＨＷ１を受ける。これにより、橋桁に阻まれて作業者が自由に移動できない橋台や橋脚の上面でホイスト側第一ワイヤＨＷ１を受け渡す作業を安全に行うことができる。
（棒ＲＲ）
【００３８】
ここで棒ＲＲは、図５に示すように伸縮式とすることが好ましい。棒ＲＲの先端側には、ワイヤを接続するためのワイヤ接続部ＷＦを設けている。これにより、簡単な構成でワイヤを接続して、ワイヤをたぐり寄せることが可能となる。一方で棒ＲＲは、作業者が扱い易いよう、軽量であることが望ましい。
【００３９】
伸縮式の棒ＲＲには、ロッド式に伸縮可能な棒材が利用できる。例えば釣り竿のような、軽量で可撓性に優れた材質が好適に利用できる。伸縮可能な長さは、橋桁の幅に応じて設定され、数ｍ程度に延長できるものが好ましい。例えば５０ｃｍ〜５ｍ程度に長さを可変自在とする。また棒ＲＲの伸縮動作は、手動式としても電動式としてもよい。このような伸縮式の棒ＲＲを用いたことで、橋台の上面で徐々に伸ばしながら送り出すように使用できる。また非使用時には収縮して嵩張らず、携行性にも優れる。
（ワイヤ接続部ＷＦ）
【００４０】
ワイヤ接続部ＷＦは、ワイヤを接続可能な構成が適宜利用できる。例えば、鉤爪状やＬ字状に折曲させて、ワイヤを係止可能としたフックや、一部を開閉可能とした環状のリングや環等を、ワイヤ接続部ＷＦとして利用できる。またワイヤ接続部ＷＦは、棒ＲＲの先端縁に固定することが好ましいが、必ずしも先端でなくとも、例えば先端から少し話した位置に固定してもよい。
（領域ＲＮ）
【００４１】
第一作業者ＯＰ１は、棒ＲＲを第二作業者ＯＰ２側に渡すための領域として、橋台２の上面であって、支承部５の側面側を利用できる。図６の平面図に示すように、一般に支承部５は、橋台２の上面の端縁に配置されるのでなく、端縁から距離ｄ離して配置されることが多い。そこで、この空間、すなわち橋台２の上面の内で、支承部５を配置した部分と橋台２の端縁との間の領域ＲＮを、棒ＲＲを置く領域として利用する。第二作業者ＯＰ２は、図４の断面図に示すように、橋桁１と橋台２の隙間であって、かつ図６の平面図に示すように、支承部５と橋台２の端縁との間の領域ＲＮに、棒ＲＲを通して、先端を第一作業者ＯＰ１に向かって送り出す。例えば第二作業者ＯＰ２が、棒ＲＲを手元で徐々に伸ばしながら、第一作業者ＯＰ１のいる第一側面６側に棒ＲＲを繰り出していく。
【００４２】
特に、第二作業者ＯＰ２は、橋桁１に遮られて第一側面６側を見通すことことができず、視界が悪い中で第一作業者ＯＰ１に棒ＲＲを送り出さねばならない。そこで、支承部５と橋台２の端縁との間の領域ＲＮを利用して、この上に棒ＲＲを置いて送り出すようにしたことで、第二作業者ＯＰ２の作業の負荷を軽減して、簡単に行えるようにできる。また棒ＲＲの先端を受け取る第一作業者ＯＰ１にとっても、姿を視認し難い第二作業者ＯＰ２から送り出される棒ＲＲの先端が届けられる部位を予め把握することができる。このようにして、狭い作業空間においても、互いに安全かつ確実に作業を行うことができる。
【００４３】
第二作業者ＯＰ２から送り出された棒ＲＲの先端を、第一作業者が受け取ると、第一作業者はこの棒ＲＲにホイスト側第一ワイヤＨＷ１を接続する。ここで、直接ホイスト側第一ワイヤを接続することもできるが、好ましくは、ホイスト側第一ワイヤＨＷ１よりも軽量のリードワイヤＬＷを介在させる。すなわちリードワイヤＬＷの一端をホイスト側第一ワイヤＨＷ１に接続して、リードワイヤＬＷの他端を、棒ＲＲの先端に取り付ける。そして第二作業者ＯＰ２が、図７に示すように棒ＲＲを手元に引き寄せて、橋桁１の下面にリードワイヤＬＷを通した上で、第二側面７側でリードワイヤＬＷを引き出し、棒ＲＲの先端からリードワイヤＬＷを外して、このリードワイヤＬＷの他端側を受け取る。ここでリードワイヤＬＷの長さは、橋桁１の横幅よりも長い長さとする。すなわち、橋桁１の下面にリードワイヤＬＷを通した状態では、未だホイスト側第一ワイヤＨＷ１が引かれていない状態とする。これによって、第二作業者ＯＰ２が棒ＲＲを引き寄せる際は、ホイスト側第一ワイヤＨＷ１の重量が印加されず、軽いリードワイヤＬＷと棒ＲＲの重さのみに抑えることができ、作業性に優れる。
【００４４】
またリードワイヤＬＷは、予めホイスト側第一ワイヤＨＷ１の先端に接続しておくことが好ましい。例えばホイスト側第一ワイヤＨＷ１を第一ホイストＨＴ１から垂らす前に、橋桁１の上面である橋面側でリードワイヤＬＷの接続作業を行っておく。これであれば、広い安全な場所で作業できるので、作業の効率化が図られる。
【００４５】
このようにして、橋桁１の下面にリードワイヤＬＷを通した状態で、第二作業者ＯＰ２がリードワイヤＬＷを手で引いて、リードワイヤＬＷの一端側に接続されたホイスト側第一ワイヤＨＷ１を第二側面７側に引き寄せる。この際、ホイスト側第一ワイヤＨＷ１は、リードワイヤＬＷと同様、支承部５と橋台２の端縁との間の領域ＲＮに載せた状態で引っ張ってもよいが、必ずしも橋台の上面に載せた状態に維持する必要はなく、図８に示すように、橋台２の側面側に出した状態で、引っ張ってもよい。既に第二作業者ＯＰ２がリードワイヤＬＷを棒ＲＲから外して直接把持しているため、力を入れ易い姿勢でリードワイヤＬＷを引っ張ることが可能となり、ホイスト側第一ワイヤＨＷ１を橋台２等に載せて支える必要は、必ずしもない。
【００４６】
この方法であれば、重量のあるホイスト側第一ワイヤを直接棒の先端側に取り付けて棒を引っ張るよりも、軽い力で第二作業者ＯＰ２はリードワイヤＬＷを引き寄せることができる。そして棒ＲＲの先端からリードワイヤＬＷをたぐり寄せた後、リードワイヤＬＷを直接引っ張ってホイスト側第一ワイヤＨＷ１を手元に引き寄せることができる。また、重量のあるホイスト側第一ワイヤを引くのに、動きが制約される棒でなく、自由度の高いリードワイヤを持って作業できるので、第二作業者は力を入れやすくなり、また動き易くなるので、作業性は格段に向上される。このように、重いホイスト側第一ワイヤを直接やりとりするのでなく、より軽いリードワイヤの授受を先に行った上で行うことで、作業をよりスムーズにかつ安全に行える利点が得られる。すなわち軽量なリードワイヤを介することで、棒ＲＲで引き寄せる際には軽い力でも物理的に送り側から受け側にリードワイヤの受け渡し作業を行うことができ、さらにリードワイヤを受け側で取得した後は、力を要する作業を手元のリードワイヤに対して行い易くできる。この結果、安全性の向上と作業性の効率化が図られ、より短時間で作業を進められるようにしたことで、人件費などの削減にも寄与し得る。
【００４７】
以上の例では、第二作業者ＯＰ２が棒ＲＲを使ってホイスト側第一ワイヤＨＷ１をたぐり寄せる方法を説明したが、本発明はこれに限らず、例えば第一作業者側が棒を使って、ホイスト側第一ワイヤを第二作業者に送ってもよい。例えば第一作業者が棒の先端側にリードワイヤを連結し、この棒の先端側を第二作業者側に向けて送り出す。第二作業者は、棒の先端を受けて、リードワイヤを棒の先端から外し、同様にリードワイヤを引っ張ってホイスト側第一ワイヤを受けることができる。
【００４８】
さらに、以上の例では伸縮式の棒ＲＲを使用したが、必ずしも伸縮式であることを要せず、長さが固定の棒材を用いてもよい。この場合は、第二作業者が棒を橋台の上面に置いて、徐々に送り出すか、あるいは図９に示すように第二作業者ＯＰ２が棒ＦＲを橋桁の側面側で、棒ＦＲの先端を橋台の側面から、あるいは橋台の下方から、第一作業者に向かって振り回すようにして送る。第一作業者は手で棒ＦＲの先端側を受け取ると、後は同様にしてリードワイヤＬＷを棒ＦＲの先端側に連結して第二作業者ＯＰ２側に送り出すことができる。棒ＦＲは支えがなくとも十分に振り回せるよう、軽量であることが望ましい。この方法であれば、棒を伸縮式とせずとも、ワイヤの受け渡しに利用できる。ただし、棒の非使用時には嵩張るため、例えば橋面に棒を置く等の工程が必要となる。
【００４９】
あるいはまた、棒の先端側にリードワイヤを接続する作業を、第一作業者に行わせる他、第二作業者が行うようにしてもよい。例えば図９に示すように、第一側面６側でリードワイヤＬＷを鉛直下方に垂らした状態とし、第二作業者ＯＰ２が第二側面７側からでも、リードワイヤＬＷの位置を視認できるようにする。この状態で、第二作業者ＯＰ２が棒ＦＲの先端を操作して、棒ＦＲの先端のワイヤ接続部であるフックをリードワイヤＬＷに引っ掛ける。そして引っ掛けた後は、棒ＦＲを操作してリードワイヤＬＷを手元にたぐり寄せる。リードワイヤＬＷを第二作業者ＯＰ２側で受けた後は、同様にしてリードワイヤＬＷを引っ張り、ホイスト側第一ワイヤＨＷ１を引き寄せることが可能となる。この方法であれば、第一作業者ＯＰ１を不要にできる。
【００５０】
あるいはまた、棒等の器具を用いることなく、直接第一作業者ＯＰ１から反対側に位置する第二作業者ＯＰ２側に向かってホイスト側第一ワイヤＨＷ１を受け渡すこともできる。例えば、第一作業者ＯＰ１が第一ホイストＨＴ１から引き出されたホイスト側第一ワイヤＨＷ１を手で操作して、反対側に位置する第二作業者ＯＰ２側に向かって投げる。ここでは、ターザンロープの要領で、ホイスト側第一ワイヤＨＷ１の先端を振り子状に揺らす。例えばホイスト側第一ワイヤＨＷ１の先端を、第一ホイストＨＴ１から橋台２の側面で垂らした状態から、第一作業者ＯＰ１はホイスト側第一ワイヤＨＷ１の中間を握って引っ張るなどして、第二作業者ＯＰ２のいる第二側面７側に向かって振り子式に大きく揺らす。これにより、ホイスト側第一ワイヤＨＷ１の先端は、先端に固定したフックの重量などにより放物線を描いて第一側面６側から第二側面７側に大きく振れるので、ホイスト側第一ワイヤＨＷ１の中間部分が橋桁１の右側面から橋桁１の底面に当たって、さらに左側面を上昇しようとする。この結果、第二作業者ＯＰ２のいる第二側面７側までホイスト側第一ワイヤＨＷ１が届くので、第二作業者ＯＰ２はこれを受け止め易くなる。あるいは、第一作業者がホイスト側第一ワイヤの先端を、直接、第二作業者に向かって投げて渡してもよい。例えば第一作業者が、ホイスト側第一ワイヤの先端を下手投げの要領で第二作業者に向かって投げる。
【００５１】
このようにしてホイスト側第一ワイヤＨＷ１を、第一側面６側から橋桁１の下面を通して第二側面７側に渡した状態で、図１０に示すように、第二作業者ＯＰ２は、ホイスト側第一ワイヤＨＷ１の先端を、橋桁１の上面すなわち橋面側にいる第四作業者ＯＰ４に渡す。第四作業者ＯＰ４は必要に応じて、ホイスト側第一ワイヤＨＷ１の先端を欄干４に係止する等して、不意に落下させないように保持する。なお、後述するホイスト側第一ワイヤＨＷ１を吊足場１００に連結する作業を第二作業者ＯＰ２が行う場合は、この受け渡しは不要となる。
【００５２】
このようにして、図１０に示すようにホイスト側第一ワイヤＨＷ１を第一側面６と第二側面７の間に、橋桁１の底面を通して架けることができる。この方法であれば、特別な設備を用意することなく、比較的容易にかつ安全に、ホイスト側第一ワイヤＨＷ１を橋梁構造物の底面側を回して第一側面６と第二側面７との間に架けることが可能となる。
【００５３】
一般に、橋台の根元への移動と異なり、作業者の橋台の上面への移動については、図１１に示すように梯子３０をかけたり、あるいは常設された階段や梯子などを利用するなどして、比較的安全に行える。いいかえると、橋台の上面でなく、根元側への移動は、橋梁構造物の設置場所によっては相当な高度差があったり、危険を伴うことがある。これに対して、本実施形態に係る吊足場の架設方法では、安全かつ簡単に移動可能な橋台の上面への移動のみで、架設作業を完了できる利点が得られる。
【００５４】
またこの方法であれば、数名の作業者（ここでは２名）で殆どの作業を終えることができる。すなわち、少人数でも安全に、吊足場の架設作業を行うことができ、省力化、低コスト化に寄与し、ひいては橋梁の点検整備の充実や長寿命化、安全確保に貢献できる。
【００５５】
なお第一作業者ＯＰ１は第一ホイストＨＴ１を、第二作業者ＯＰ２は第二ホイストＨＴ２を、それぞれ操作できるよう、各ホイストの操作コンソールはホイスト本体からケーブルで引き出されている。これによって橋台２の上からでもホイストを操作可能となる。なお、ホイストの操作は有線で行う他、無線で行うように構成してもよい。また必要に応じて第一作業者ＯＰ１や第二作業者ＯＰ２は命綱を固定しておく。例えば、橋台の上面への昇降用の梯子などに命綱を連結することができる。
【００５６】
また、吊足場１００の第一足場吊設位置ＦＰ１に足場側第一ワイヤＳＷ１を、第二足場吊設位置ＦＰ２に足場側第二ワイヤＳＷ２を、それぞれ取り付ける。この作業は、後述する吊足場１００をクレーンＣＮで橋桁１の側面に吊り下げる前に行うことが好ましい。ただ、この作業を行う場所やタイミングは特に規定するものでない。例えば図１２に示すように、吊足場１００を運搬するトラックＴＫの荷台で行うことができる。また、この図に示すようにクレーン付きトラックを用いて吊足場１００を橋梁構造物まで運搬することで、必要な車両数を抑えて限られた人員でも効率良く作業を行える。
（第二工程：吊足場１００を懸吊する工程）
【００５７】
続いて、図１３に示すように吊足場１００を、橋桁１の側面に吊り下げる。ここでは、図３に示した吊足場１００等を、クレーンＣＮで吊り下げて、橋桁１の側面に移動させる。なお図１３の例では第二側面７側に吊り下げる例を示しているが、第一側面側でもよい。
【００５８】
吊足場１００には予め、足場側第一ワイヤＳＷ１と足場側第二ワイヤＳＷ２を固定している。足場側第一ワイヤＳＷ１は、吊足場１００の第一足場吊設位置ＦＰ１に、足場側第二ワイヤＳＷ２は、吊足場１００の第二足場吊設位置ＦＰ２に、それぞれ固定する。ここで第一足場吊設位置ＦＰ１、第二足場吊設位置ＦＰ２は、それぞれ、図１に示すように吊足場１００を橋桁１の底面に固定した状態で、第一ホイストＨＴ１、第二ホイストＨＴ２と対向する吊足場１００上の位置とする。これによって、吊足場１００を吊り下げるホイスト側第一ワイヤＨＷ１やホイスト側第二ワイヤＨＷ２の長さを短くできる。また足場側第一ワイヤＳＷ１と足場側第二ワイヤＳＷ２の先端にはそれぞれ、第一ホイストＨＴ１や第二ホイストＨＴ２のホイスト側第一ワイヤＨＷ１、ホイスト側第二ワイヤＨＷ２と接続するため、連結用フックやループなどを予め設けておく。
【００５９】
これら足場側第一ワイヤＳＷ１や足場側第二ワイヤＳＷ２は、図２に示すように、吊足場１００の足場部１１の長手方向に沿って設けられた一対の柵部１４の間を通すようにして、吊足場１００と固定することが好ましい。これによって、吊足場１００をホイストの一点で懸吊しつつも水平姿勢に維持し易くできる。
【００６０】
一方で、吊足場１００を吊り下げるクレーンＣＮのクレーンロープＣＲ先端は、吊足場１００の、例えば柵部１４に固定される。ここで吊足場１００にクレーンＣＮのクレーンロープＣＲを取り付ける位置は、吊足場１００の長手方向の中央でなく、一方の端部側とする。これによって、図１３に示すように吊足場１００を吊り下げた際、他方の端部側（図１３において右側）が下がるので、第二ホイストＨＴ２のホイスト側第二ワイヤＨＷ２の取り付け作業を行い易くなり、またこの端部から橋桁１を潜らせることが可能となる。また、クレーンロープＣＲの固定位置は、第一足場吊設位置ＦＰ１と同じ位置あるいは近傍としてもよい。これにより、クレーンロープＣＲの吊り下げ位置とワイヤの固定位置とを共通化して、ワイヤの固定作業の簡略化を図ることができる。
【００６１】
このようにして、足場側第一ワイヤＳＷ１と足場側第二ワイヤＳＷ２を固定した吊足場１００を、クレーンロープＣＲに取り付けた状態で、クレーンＣＮを操作させて吊り下げ、橋桁１の側面に位置させる。吊足場１００は、平面視においてその長手方向が、橋桁１を交差する姿勢となるようにクレーンＣＮを操作し、あるいは吊足場１００の浮かせた状態で作業者が手で吊足場１００を持つなどして、吊足場１００の姿勢を調整する。このとき作業者は、橋台２上面の左右にいる第一作業者ＯＰ１、第二作業者ＯＰ２に加え、クレーンＣＮの操作を行う第三作業者ＯＰ３と、クレーンＣＮで吊られた吊足場１００を管理する第四作業者ＯＰ４の４人となる。いいかえると、僅か４人で吊足場１００の架設作業を行うことができる。なお、クレーンＣＮで吊足場１００を吊り下げる際には、特に第一作業者ＯＰ１は手が空くので、この者が第四作業者ＯＰ４の作業を行うことで、さらに人員を減らすことも可能である。
（第三工程：ワイヤ同士の接続工程）
【００６２】
次に、吊足場１００に連結した足場側第一ワイヤＳＷ１と足場側第二ワイヤＳＷ２を、それぞれ第一ホイストＨＴ１、第二ホイストＨＴ２のホイスト側第一ワイヤＨＷ１、ホイスト側第二ワイヤＨＷ２と、それぞれ連結する。
【００６３】
まず、クレーンＣＮで懸吊された吊足場１００は、水平姿勢に維持するのでなく、図１３に示すように端部を垂らした姿勢で懸吊する。また吊足場１００の端部が、橋桁１の上に待機する第四作業者ＯＰ４が作業可能な高さとなるようにクレーンＣＮの高さやクレーンロープＣＲの繰り出し量を調整する。
【００６４】
そして、橋桁１の側面に近付けた状態で、図１４に示すように第四作業者ＯＰ４がたぐり寄せる。この際、作業者が直接手で吊足場１００をたぐり寄せる他、棒の先端にフック等を設けた引っ掛け棒等の部材を用いてもよい。また、吊足場１００の大きさや重量に応じて、第四作業者ＯＰ４を複数名とすることもできる。
【００６５】
次に、吊足場１００に連結した足場側第二ワイヤＳＷ２を、第二ホイストＨＴ２のホイスト側第二ワイヤＨＷ２に連結する。足場側第二ワイヤＳＷ２や足場側第一ワイヤＳＷ１の先端には、ワイヤ同士の連結が可能な機構、例えばループやフック等を予め設けている。ここでは、図１４に示すように、橋桁１の上で第四作業者ＯＰ４が、手でこれらのワイヤの先端を連結する。なお、吊足場が軽量で小型の場合等は、この連結作業を、第二作業者ＯＰ２に行わせることもできる。
【００６６】
そして吊足場１００にホイスト側第二ワイヤＨＷ２を連結した後、さらにクレーンＣＮを操作して吊足場１００を降下させて、図１５に示すように吊足場１００に連結した足場側第一ワイヤＳＷ１を、第一ホイストＨＴ１のホイスト側第一ワイヤＨＷ１と連結する。
【００６７】
次に、吊足場１００に連結した足場側第一ワイヤＳＷ１と足場側第二ワイヤＳＷ２を、それぞれ第一ホイストＨＴ１、第二ホイストＨＴ２のホイスト側第一ワイヤＨＷ１、ホイスト側第二ワイヤＨＷ２と、それぞれ連結する。ここでは、図１４に示すように、橋桁１の上で第四作業者ＯＰ４が、手でこれらのワイヤの先端を連結する。各ワイヤの先端には、ワイヤ同士の連結が可能な機構、例えばループやフック等を予め設けている。
【００６８】
なお、このようなワイヤの連結作業は、ここでは吊足場１００をクレーンＣＮで吊り下げて、かつ吊足場１００の姿勢を傾けた状態で行う例を示したが、本発明はこれに限らず、例えばクレーンを吊り下げた状態で先にワイヤを連結した後に、吊足場の姿勢を調整してもよい。あるいは吊足場をクレーンで吊り下げる前に、第一ホイスト、第二ホイストからホイスト側第一ワイヤ、ホイスト側第二ワイヤを引き出して、各ワイヤを連結してもよい。あるいはまた、この例では第四作業者ＯＰ４が橋桁１の上でワイヤの連結作業を行う例を示したが、ワイヤの連結作業は、橋台の上にいる第二作業者ＯＰ２に行わせることもできる。また、ワイヤの接続作業を橋桁上で行った後、この者が橋台の上に移動して第二作業者ＯＰ２として以降の作業を兼任することもできる。
【００６９】
さらに以上の例では、吊足場１００に足場側第一ワイヤＳＷ１、足場側第二ワイヤＳＷ２を固定し、ホイスト側第一ワイヤＨＷ１、ホイスト側第二ワイヤＨＷ２とそれぞれ連結する方法を説明した。この方法であれば、ホイスト側第一ワイヤＨＷ１を橋桁１の底面側に張る作業と吊足場１００を吊り下げる作業をそれぞれ個別に行えるので、効率良く吊足場１００の架設作業を進めることができる。
【００７０】
ただ、本発明は必ずしもホイスト側と吊足場側で個別のワイヤを用いる方法に限定するものでなく、共通のワイヤを用いてもよい。例えば、第一ホイストから引き出したホイスト側第一ワイヤの先端を、吊足場を吊り下げる前に直接吊足場に連結し、一方で第二ホイスト側引き出したホイスト側第二ワイヤを、同じく吊足場を吊り下げる前に直接吊足場に連結し、あるいは吊足場に固定された第二吊足場側ワイヤを、吊足場を吊り下げた状態で第二ホイストに連結してもよい。
（第四工程：吊足場１００のスイング移動工程）
【００７１】
このようにして吊足場１００にホイスト側第一ワイヤＨＷ１、ホイスト側第二ワイヤＨＷ２を連結した後、図１６に示すようにさらにクレーンＣＮを操作して吊足場１００を降下させ、さらに吊足場１００を縦向きの姿勢から先端を起こすようにして徐々に傾斜させていく。すなわち、橋桁１の側面から吊足場１００の先端を潜らせる姿勢とするように、橋桁１の側面に面した側の吊足場１００の端縁が、下り勾配となる姿勢とし、さらに水平姿勢に近付けるように回転させていく。必要に応じて、クレーンロープＣＲを水平方向に、橋桁１から遠ざかる方向に後退させて、反対側の端縁を持ち上げてもよい。
【００７２】
図１６の状態では、吊足場１００と第一ホイストＨＴ１、第二ホイストＨＴ２がワイヤでもって接続された状態となる。そして吊足場１００は、第二側面７側の上方からクレーンＣＮで、第一足場吊設位置ＦＰ１側が第二足場吊設位置ＦＰ２側よりも下となる姿勢で吊り下げられている。ここで、第一ホイストＨＴ１による、ホイスト側第一ワイヤＨＷ１の巻き取り量と、第二ホイストＨＴ２によるホイスト側第二ワイヤＨＷ２の巻き取り量と、クレーンＣＮ側の操作、すなわちクレーンＣＮの移動やクレーンロープＣＲの繰り出し量を制御することで、吊足場１００の姿勢を徐々に変更することができる。
【００７３】
すなわち図１６に示すように、ホイスト側第一ワイヤＨＷ１は、予め橋桁１の底面を潜らせている。この状態から、吊足場１００を橋桁１の側面から底面側に徐々に移動させる。ここでは、クレーンＣＮによる吊足場１００の降下と、第一ホイストＨＴ１の巻き取りによる吊足場１００を引っ張る横方向の移動を組み合わせて、吊足場１００を回転あるいは揺動させるスイング移動を実現している。すなわち、図１６に示すように、吊足場１００を、橋桁１に面した側の先端を下り勾配に傾斜させた姿勢から、第一ホイストＨＴ１でホイスト側第一ワイヤＨＷ１を巻き取り、第二ホイストＨＴ２でホイスト側第二ワイヤＨＷ２を巻き取り、かつクレーンＣＮを降下させあるいはクレーンロープＣＲを繰り出して、図１７に示すように、徐々に吊足場１００の先端を持ち上げて平行姿勢に近付け、かつ全体を降下させて、図１８に示すように橋桁１の下方に移動させていく。このため、第一ホイストＨＴ１による、ホイスト側第一ワイヤＨＷ１の巻き取り量と、第二ホイストＨＴ２によるホイスト側第二ワイヤＨＷ２の巻き取り量と、クレーンＣＮによる降下又はクレーンロープＣＲの繰り出し量を、互いに調和を取るように操作する。ここでは、第一作業者ＯＰ１が第一ホイストＨＴ１を、第二作業者ＯＰ２が第二ホイストＨＴ２を、第三作業者ＯＰ３がクレーンＣＮを、それぞれ操作しており、これらの者が互いに声を直接口頭で、あるいは無線や電話を通じて掛け合いながら、連携作業を行う。また橋桁１の上から第四作業者ＯＰ４が全体の指揮を執るようにしてもよい。
（緩衝材２０）
【００７４】
なお、ホイスト側第一ワイヤＨＷ１を橋桁１の底面に這わせて、吊足場１００を引っ張る際、ホイスト側第一ワイヤＨＷ１が橋桁１の底面と側面の隅部に接触することがある。この状態でホイスト側第一ワイヤＨＷ１を巻き取ると、ホイスト側第一ワイヤＨＷ１が擦れて摩耗したり損傷を受けることが考えられる。そこで、図１７に示すように、橋桁１の隅部に、緩衝材２０を配置して、直接ホイスト側第一ワイヤＨＷ１が橋桁１と触れることを避け、摩耗を低減することが可能となる。図の例では緩衝材２０は、橋桁１の下端隅部を覆うように断面視Ｌ字状に形成された板状としている。ただ、緩衝材２０の形状はこれに限らず、例えばＨ鋼状の隅部を挟み込むような断面視Ｃ字状やＵ字状としたり、あるいはホイスト側第一ワイヤをガイドする滑車状としてもよい。また緩衝材２０は、潤滑性に優れた材質、例えばテフロンやフッ素樹脂等が挙げられる。
【００７５】
このようにして、ホイスト側第一ワイヤＨＷ１、ホイスト側第二ワイヤＨＷ２、クレーンＣＮの吊り下げ高さを、それぞれ調整しながら、吊足場１００を、第二側面７側の上方から、下方側に降下させつつ、第一足場吊設位置ＦＰ１と第二足場吊設位置ＦＰ２との高低差が小さくなるように、吊足場１００を回転させて、吊足場１００を橋桁１の下方に位置するように移動させることができる。
（第五工程：ホイストで吊足場１００を固定する工程）
【００７６】
そして、吊足場１００を橋桁１の下方に位置させると、クレーンロープＣＲを吊足場１００から外して、第一ホイストＨＴ１及び第二ホイストＨＴ２で、ホイスト側第一ワイヤＨＷ１及びホイスト側第二ワイヤＨＷ２を巻き上げ、図１に示すように吊足場１００を橋梁構造物の底面に固定する。クレーンロープＣＲを外す作業は、第二作業者ＯＰ２が行う。また第一ホイストＨＴ１、第二ホイストＨＴ２の巻き上げ作業は、第一作業者ＯＰ１、第二作業者ＯＰ２が行う。また必要に応じて、吊足場１００の柵部１４の上面と橋桁１の下面との接触部位に、クランプ状の固定具等を用いて連結することもできる。
【００７７】
このようにして、吊足場１００を橋桁１の側面から潜らせるように降下、回転させて、橋桁１の底面に吊足場１００を移動させることが可能となる。しかもこの方法であれば、作業者が橋台や橋脚の根元まで下りる必要もなく、労力も少なく、安全に作業できる。さらにこの方法であれば、橋梁と河床の空間を利用して、河床の状態や、河床からの高さに影響を受けないため、汎用性があり、安全性に優れかつ迅速な架設・撤去が可能で経済性にも秀でた工法である。
【産業上の利用可能性】
【００７８】
本発明の架設方法によれば、橋梁の検査用や洗浄作業用の足場及びその架設方法として好適に利用できる。
【符号の説明】
【００７９】
１００…吊足場
１…橋桁
１Ｘ…主桁
２、２Ｘ…橋台
３…橋脚
４…欄干
５、５Ｘ…支承部
６…第一側面
７…第二側面
１１…足場部
１２…穴部
１４…柵部
２０…緩衝材
３０…梯子
１００Ｙ…足場
２１１…フロート付き吊足場
２１２…フロート部
２１６…第一ワイヤ
ＣＮ…クレーン
ＣＲ…クレーンロープ
ＨＷ１…ホイスト側第一ワイヤ
ＨＷ２…ホイスト側第二ワイヤ
ＨＴ１…第一ホイスト
ＨＴ２…第二ホイスト
ＯＰ１…第一作業者
ＯＰ２…第二作業者
ＯＰ３…第三作業者
ＯＰ４…第四作業者
ＳＷ１…足場側第一ワイヤ
ＳＷ２…足場側第二ワイヤ
ＦＰ１…第一足場吊設位置
ＦＰ２…第二足場吊設位置
ＴＫ…トラック
ＲＲ…伸縮式の棒
ＦＲ…固定式の棒
ＷＦ…ワイヤ接続部
ＬＷ…リードワイヤ
ＳＤ…堆積物
ＢＲ、ＢＲ２…橋梁構造物
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
橋台又は橋脚上に橋桁を配置した橋梁構造物であって、橋台又は橋脚の上面を作業者が移動することを橋桁に阻まれてなる橋梁構造物に、吊足場を架設する吊足場の架設方法であって、
架設の対象となる橋梁構造物の、橋桁の幅方向の一方の側面である第一側面と、前記第一側面の反対側の側面である第二側面との間に、ホイスト側第一ワイヤを、橋桁の底面を通して架ける工程と、
前記橋桁の第一側面に第一ホイストを、第二側面に第二ホイストを、それぞれ固定した状態であって、かつ前記吊足場の、
該吊足場が橋桁の底面に固定された状態で前記第一ホイストと対向することになる第一足場吊設位置に、前記ホイスト側第一ワイヤの一端を、
該吊足場が橋桁の底面に固定された状態で前記第二ホイストと対向することになる第二足場吊設位置に、ホイスト側第二ワイヤの一端を、それぞれ固定すると共に、
前記ホイスト側第二ワイヤの他端を、前記第二ホイストに固定した状態で、
前記吊足場を、前記第二側面側の上方からクレーンで、前記第一足場吊設位置側が前記第二足場吊設位置側よりも下となる姿勢で吊り下げる工程と、
前記第一ホイストで、前記ホイスト側第一ワイヤの巻き取り量と、
前記第二ホイストで、前記ホイスト側第二ワイヤの巻き取り量と、
前記クレーンの吊り下げ高さを、それぞれ調整しながら、前記吊足場を、前記第二側面側の上方から、下方側に降下させつつ、前記第一足場吊設位置と第二足場吊設位置との高低差が小さくなるように、前記吊足場を回転させて、前記吊足場を前記橋桁の下方に位置するように移動させる工程と、
前記第一ホイスト及び第二ホイストで、前記ホイスト側第一ワイヤ及びホイスト側第二ワイヤを巻き上げて、前記吊足場を橋梁構造物の底面に固定する工程と、
を含む吊足場の架設方法。
【請求項２】
請求項１に記載の吊足場の架設方法であって、
前記第一側面と第二側面の間に前記ホイスト側第一ワイヤを架ける工程が、
前記ホイスト側第一ワイヤの他端を、前記第一側面又は第二側面の一方に固定し、
前記ホイスト側第一ワイヤの一端を、前記第一側面又は第二側面の他方に受け渡す工程を含む吊足場の架設方法。
【請求項３】
請求項２に記載の吊足場の架設方法であって、
前記第一側面と第二側面の間に前記ホイスト側第一ワイヤを架ける工程が、作業者が橋台又は橋脚の上に下りて行う作業である吊足場の架設方法。
【請求項４】
請求項２又は３に記載の吊足場の架設方法であって、
前記第一側面と第二側面の間に前記ホイスト側第一ワイヤを架ける工程が、
前記第一側面側及び第二側面側に、それぞれ作業者を配置して、前記ホイスト側第一ワイヤを受ける側の作業者が、細長く延長された棒の先端側を、前記ホイスト側第一ワイヤを送る側の作業者に向けて伸ばす工程と、
前記ホイスト側第一ワイヤを送る側の作業者が、前記棒の先端側を受けて、該棒に前記ホイスト側第一ワイヤを接続する工程と、
前記ホイスト側第一ワイヤを受ける側の作業者が、前記棒を引き寄せて、該棒の先端側に接続された前記ホイスト側第一ワイヤを受ける工程と
を含む吊足場の架設方法。
【請求項５】
請求項４に記載の吊足場の架設方法であって、
前記ホイスト側第一ワイヤを送る側の作業者が、前記棒の先端側に前記ホイスト側第一ワイヤを接続する工程が、
前記ホイスト側第一ワイヤに接続された、該ホイスト側第一ワイヤよりも軽量のリードワイヤを、前記棒の先端側に設けられたワイヤ接続部に接続する工程を含み、
前記ホイスト側第一ワイヤを受ける側の作業者が、前記棒を引き寄せて、該棒の先端側に接続された前記ホイスト側第一ワイヤを受ける工程が、
前記棒の先端側に接続されたリードワイヤを、前記棒を用いて引き寄せる工程と、
前記リードワイヤを引っ張り、該リードワイヤに接続された前記ホイスト側第一ワイヤを引き寄せる工程と、
を含む吊足場の架設方法。
【請求項６】
請求項４又は５に記載の吊足場の架設方法であって、
前記棒として、伸縮式で、先端にフックを設けた棒を用いてなる吊足場の架設方法。
【請求項７】
請求項１〜６のいずれか一項に記載の吊足場の架設方法であって、
前記第一側面と第二側面の間に前記ホイスト側第一ワイヤを架ける工程が、前記第一側面に第一ホイストを、前記第二側面に第二ホイストを、それぞれ固定する工程を含む吊足場の架設方法。
【請求項８】
請求項１〜７のいずれか一項に記載の吊足場の架設方法であって、
前記吊足場を前記橋桁の下方に位置するように移動させる工程が、
前記吊足場の、
前記第一足場吊設位置に、足場側第一ワイヤを取り付け、かつ
前記第二足場吊設位置に、足場側第二ワイヤを取り付け、
前記吊足場を、前記第二側面側の上方からクレーンで吊り下げた状態で、
前記足場側第一ワイヤを、前記ホイスト側第一ワイヤと接続し、かつ
前記足場側第二ワイヤを、前記ホイスト側第二ワイヤと接続する工程を含む吊足場の架設方法。
【請求項９】
請求項１〜８のいずれか一項に記載の吊足場の架設方法であって、
前記クレーンで吊足場を吊り下げる位置が、前記第一足場吊設位置である吊足場の架設方法。
【請求項１０】
請求項１〜９のいずれか一項に記載の吊足場の架設方法であって、
前記ホイスト側第一ワイヤが、前記橋桁の下端隅部と接触する位置に、前記ホイスト側第一ワイヤと前記橋桁下端隅部との間に緩衝材を介在させてなる吊足場の架設方法。
【請求項１１】
請求項１〜１０のいずれか一項に記載の吊足場の架設方法であって、
前記第一足場吊設位置及び前記第二足場吊設位置が、前記吊足場の、矩形状の足場部の上面に設けられた柵部上である吊足場の架設方法。
【手続補正２】
【補正対象書類名】明細書
【補正対象項目名】００１１
【補正方法】変更
【補正の内容】
【００１１】
上記課題を解決するために、本発明の第１の橋梁構造物における吊足場の架設方法によれば、橋台又は橋脚上に橋桁を配置した橋梁構造物であって、橋台又は橋脚の上面を作業者が移動することを橋桁に阻まれてなる橋梁構造物に、矩形状の足場部の上面に柵部を有する吊足場を架設する吊足場の架設方法であって、架設の対象となる橋梁構造物の、橋桁の幅方向の一方の側面である第一側面と、前記第一側面の反対側の側面である第二側面との間に、ホイスト側第一ワイヤを、橋桁の底面を通して架ける工程と、前記橋桁の第一側面に第一ホイストを、第二側面に第二ホイストを、それぞれ固定した状態であって、かつ前記吊足場の、該吊足場が橋桁の底面に固定された状態で前記第一ホイストと対向することになる第一足場吊設位置に、前記ホイスト側第一ワイヤの一端を、該吊足場が橋桁の底面に固定された状態で前記第二ホイストと対向することになる第二足場吊設位置に、ホイスト側第二ワイヤの一端を、それぞれ固定すると共に、前記ホイスト側第二ワイヤの他端を、前記第二ホイストに固定した状態で、前記吊足場を、前記第二側面側の上方からクレーンで、前記第一足場吊設位置側が前記第二足場吊設位置側よりも下となる姿勢で吊り下げる工程と、前記第一ホイストで、前記ホイスト側第一ワイヤの巻き取り量と、前記第二ホイストで、前記ホイスト側第二ワイヤの巻き取り量と、前記クレーンの吊り下げ高さを、それぞれ調整しながら、前記吊足場を、前記第二側面側の上方から、下方側に降下させつつ、前記第一足場吊設位置と第二足場吊設位置との高低差が小さくなるように、前記吊足場を回転させて、前記吊足場を前記橋桁の下方に位置するように移動させる工程と、前記第一ホイスト及び第二ホイストで、前記ホイスト側第一ワイヤ及びホイスト側第二ワイヤを巻き上げて、前記吊足場を橋梁構造物の底面に固定する工程とを含むことができる。これにより吊足場を橋梁構造物の側面から潜らせるように降下、回転させて、橋梁構造物の底面に吊足場を移動させることが可能となる。しかもこの方法であれば、作業者が橋梁構造物を設営した下に下りる必要もなく、安全に作業できる。